(57)【要約】【課題】遊技機島の製造において、製造コストを低減し、施工開始後の作業を簡易化するための技術を提供することを課題とする。【解決手段】外壁保持部材３７，３８によって外壁材が保持された壁分を有する遊技機島を形成する際、規定寸法に基づく大きさのユニット体３１，３３を予め形成する。そして、ユニット体３１，３３を並べることで外壁保持部材３７，３８の少なくとも一部を形成する構造体を形成し、この構造体を間隔を空けて並べた荷重支持部材３０に対して固定する。さらに、この構造体は、ユニット体３１，３３を並べることでユニット体３１，３３の並列方向の合計長さを規定長さにできない場合に、ユニット体３１，３３と近接する位置に不足分の大きさを補う調整部材３２、３４を配することで形成されるものとする。【選択図】図２
2019177073.tif 000002
【特許請求の範囲】
【請求項１】
遊技機を設置する配設部と、前記配設部の上部側に位置する上部側壁部と、前記配設部の下部側に位置する下部側壁部と、前記上部側壁部又は前記下部側壁部の少なくとも一方を支持する荷重支持部材とを有し、
さらに前記上部側壁部又は前記下部側壁部の少なくとも一方は、外壁材と立体構造の外壁保持部材を有し、前記外壁保持部材によって前記外壁材が保持されている遊技機島の製造方法であって、
前記外壁保持部材の一部又は全部を有し、規定寸法に基づく大きさのユニット体を形成するユニット体形成工程と、
複数の前記荷重支持部材を間隔を空けて並べる支持部材配置工程と、
少なくとも一の前記ユニット体が含まれ、複数の前記荷重支持部材に固定する構造体を形成する構造体形成工程とを含み、
前記構造体形成工程では、前記ユニット体を並べることで前記ユニット体の並列方向の合計長さを規定長さにできない場合に、前記ユニット体と近接する位置に不足分の大きさを補う調整部材を配することを特徴とする遊技機島の製造方法。
【請求項２】
前記ユニット体形成工程では、前記上部側壁部の前記外壁保持部材の一部又は全部となる前記ユニット体と、前記下部側壁部の前記外壁保持部材の一部又は全部となる前記ユニット体とをそれぞれ形成し、
前記支持部材配置工程では、複数の前記荷重支持部材のそれぞれを設置場所の床に対して固定し、
一の前記荷重支持部材に対し、前記上部側壁部の一部を形成する前記外壁保持部材を固定し、且つ、前記下部側壁部の一部を形成する前記外壁保持部材を固定することを特徴とする請求項１に記載の遊技機島の製造方法。
【請求項３】
前記支持部材配置工程に先だって、前記支持部材配置工程で並列配置する複数の前記荷重支持部材の配置位置を決定する配置位置決定工程を実施し、
前記ユニット体形成工程は、前記配置位置決定工程に先だって実施する工程であることを特徴とする請求項１又は２に記載の遊技機島の製造方法。
【請求項４】
前記構造体は、少なくとも一つの前記ユニット体と少なくとも一つの前記調整部材が並べられて形成される、又は、複数の前記ユニット体が並べられて形成されるものであり、
前記構造体を複数の前記荷重支持部材に固定する際、少なくとも一の前記ユニット体の一部分であり、前記構造体を構成する部材の並列方向における両端部分から離れた部分を一の前記荷重支持部材に固定することを特徴とする請求項１乃至３のいずれかに記載の遊技機島の製造方法。
【請求項５】
遊技機を設置する配設部と、前記配設部の上部側に位置する上部側壁部と、前記配設部の下部側に位置する下部側壁部と、前記上部側壁部又は前記下部側壁部の少なくとも一方を支持する荷重支持部材とを有し、
さらに前記上部側壁部又は前記下部側壁部の少なくとも一方は、外壁材と立体構造の外壁保持部材を有し、前記外壁保持部材によって前記外壁材が保持されている遊技機島の製造方法であって、
前記外壁保持部材の一部又は全部を有し、規定寸法に基づく大きさのユニット体を形成するユニット体形成工程と、
複数の前記荷重支持部材の配置位置を決定する配置位置決定工程と、
複数の前記荷重支持部材を間隔を空けて並べる支持部材配置工程を含み、
前記ユニット体形成工程は、前記配置位置決定工程に先だって実施可能であることを特徴とする遊技機島の製造方法。
【請求項６】
遊技機を設置する配設部と、外壁保持部材に外壁材が保持されて形成される壁部分と、前記壁部分を支持する荷重支持部材とを有する遊技機島であり、遊技場に構築される遊技機島の製造方法であって、
前記外壁保持部材の一部又は全部を有し、規定寸法に基づく大きさのユニット体を前記遊技場の外で形成するユニット体形成工程と、
複数の前記荷重支持部材の配置位置を決定する配置位置決定工程と、
前記遊技場の中で複数の前記荷重支持部材のそれぞれを設置場所の床に対して固定し、間隔を空けて並べる支持部材配置工程と、
少なくとも一の前記ユニット体が含まれ、複数の前記荷重支持部材に固定する構造体を形成する構造体形成工程とを含み、
前記ユニット体形成工程を前記配置位置決定工程に先だって実施し、
前記構造体形成工程は、前記構造体の長さを調整する調整工程を含み、
前記調整工程は、複数の前記ユニット体を連結させて前記構造体を形成できない場合に、前記構造体の不足分を他部材、又は、前記ユニット体に基づいて形成される部材によって形成する工程であることを特徴とする遊技機島の製造方法。
【請求項７】
遊技機を設置する配設部を有し、当該配設部の上部側に上部側壁部があり、前記配設部の下部側に下部側壁部を有し、前記上部側壁部又は前記下部側壁部の少なくとも一方は、外壁材と立体構造の外壁保持部材を有し、前記外壁保持部材によって前記外壁材が保持されている遊技機島において、
ユニット体と、複数の荷重支持部材を有し、
前記ユニット体は、少なくとも前記外壁保持部材の一部を構成する部材を含み、
前記荷重支持部材は、前記ユニット体が取り付けられて前記ユニット体の垂直荷重を支持するものであり、
前記外壁保持部材は、前記ユニット体を含んで形成される構造体によって少なくとも一部が形成されるものであり、
前記構造体は、複数の前記ユニット体を並列配置して形成される、又は、前記ユニット体と前記ユニット体とは並列方向の長さが異なる調整部材を並列配置して形成されるものであり、
前記構造体は、隣接する前記ユニット体同士、又は、隣接する前記ユニット体と前記調整部材の端面が接触又は近接する境界部があり、
少なくとも一つの前記境界部は、前記構造体を構成する部材の並列方向において、前記荷重支持部材から離れた位置にあることを特徴とする遊技機島。
【請求項８】
遊技球を上方へ搬送するための揚送装置と、前記揚送装置に流入する遊技球が流れる導入用流路とを備え、
少なくとも一つの前記荷重支持部材は、下記（ａ）〜（ｃ）のいずれかによって形成されていることを特徴とする請求項７に記載の遊技機島。
（ａ）前記揚送装置と連結されて上方に延びる揚送流路の水平方向への移動を規制する規制部を備えた柱状体及び／又はその土台部分、
（ｂ）前記揚送装置と連結されて上方に延びる揚送流路を配設する空間の外側で縦材及び横材を枠組みして形成される枠柱体及び／又はその土台部分、
（ｃ）前記揚送装置の外側に配される箱体又は枠体であり、前記導入用流路の一部を取り付ける流路取付部を備え、内側に前記揚送装置の少なくとも一部を配される外郭部材、及び／又は、当該外郭部材から上方に延びる柱状体。
【請求項９】
前記上部側壁部は、前記外壁保持部材の一部を構成する前記ユニット体である上側ユニット体を有し、
前記上側ユニット体は、上側上板部と、当該上側上板部の下方側に位置する上側下板部と、前記上側上板部と前記上側下板部を連結する上側立板部を有し、
前記荷重支持部材の少なくとも一つは、前記上側ユニット体を固定するための上側取付部を有し、
前記上側上板部及び前記上側下板部に締結要素が挿通され、前記上側上板部及び前記上側下板部と前記上側取付部とが一体に固定されていることを特徴とする請求項７又は８に記載の遊技機島。
【請求項１０】
前記下部側壁部は、前記外壁保持部材の一部を構成する前記ユニット体である下側ユニット体を有し、
前記荷重支持部材の少なくとも一つは、前記下側ユニット体を固定するための下側取付部を有し、
前記下側取付部は、前記下側ユニット体を載置するためのユニット載置部と、前記ユニット載置部よりも内側で上下方向に延びる下側添設体を有し、
前記下側添設体は、前記下側ユニット体に内側から接触しており、前記下側ユニット体の内側部分と前記下側添設体は、締結要素が挿通されて一体に固定されていることを特徴とする請求項７乃至９のいずれかに記載の遊技機島。
【請求項１１】
前記下側ユニット体は、膳板の少なくとも一部を形成する膳板形成部材と、下端側部分を形成する下側下板部を有し、
前記膳板形成部材及び前記下側下板部は、いずれも平板状の部材であり、且つ、いずれも端面から前記締結要素が挿入されていることを特徴とする請求項１０に記載の遊技機島。
【請求項１２】
前記上部側壁部と前記下部側壁部は、それぞれ異なる前記構造体によって少なくとも一部が形成されるものであり、
前記上部側壁部の少なくとも一部を形成する前記構造体の前記境界部のうちの少なくとも一つと、
前記下部側壁部の少なくとも一部を形成する前記構造体の前記境界部のうちの少なくとも一つとが、いずれも前記構造体を構成する部材の並列方向において、前記荷重支持部材から離れた位置にあることを特徴とする請求項７乃至１１のいずれかに記載の遊技機島。
【請求項１３】
遊技機を設置する配設部を有し、当該配設部の上部側に上部側壁部があり、前記配設部の下部側に下部側壁部を有する遊技機島において、
複数のユニット体と、複数の荷重支持部材を有し、
前記ユニット体は、前記上部側壁部及び／又は前記下部側壁部の一部を形成する立体構造の部材であり、
前記荷重支持部材は、前記ユニット体が取り付けられて前記ユニット体の垂直荷重を支持するものであり、
複数の前記ユニット体が並べられた状態で前記荷重支持部材に支持され、
隣接する前記ユニット体同士の端面が接触又は近接する境界部があり、当該境界部のいずれかは前記荷重支持部材から前記ユニット体の並列方向に離れた位置にあることを特徴とする遊技機島。
【発明の詳細な説明】
【技術分野】
【０００１】
本発明は、遊技機を配置するための遊技機島の製造方法及び遊技機島に関する。
【背景技術】
【０００２】
ぱちんこ機やスロット機等の遊技機が設置されている遊技場では、一般的に、遊技機島と称される構造物が設けられている。そして、この遊技機島には、遊技機が設置されると共に、設置された遊技機への遊技媒体の供給や、遊技機からの遊技媒体の回収を可能とするための各種部材が内蔵されている。
このような遊技機島として、例えば、特許文献１に開示されたものがある。
【０００３】
特許文献１に開示された遊技機島（遊技島）は、左右に所定間隔（ユニット間隔Ｌｙ）を開けて配列したフレーム部材と、左右側部がフレーム部材に取り付けられる上段ユニット及び下段ユニットを備えたものとなっている。
すなわち、左右方向で離れた２つのフレーム部材の一方と他方のそれぞれに上段ユニット及び下段ユニットの左右方向における両端部のそれぞれが固定され、上段ユニット及び下段ユニットがこの２つのフレーム部材の間で延びた構造となっている。そして、複数の上段ユニット、複数の下段ユニットが左右方向で並列することで、それぞれ遊技島の上側壁部分の基礎となる部分と、下側壁部分の基礎となる部分が形成されている。
【０００４】
この遊技機島を構築する際には、フレーム部材の配置間隔に合わせた大きさの上段ユニット及び下段ユニットを形成する。つまり、上段ユニット及び下段ユニットは、左右方向の長さがフレーム部材の配置間隔と同等程度の長さとなっている。そして、左右方向で隣合う２つの上段ユニット同士の境界部分と、下段ユニット同士の境界部分とが１つのフレーム部材に固定された状態となる。
【先行技術文献】
【特許文献】
【０００５】
【特許文献１】特開２００８−１４８９４０号公報
【発明の概要】
【発明が解決しようとする課題】
【０００６】
ここで、フレーム部材の間隔は、遊技機島に設置する遊技機や台間機器（所謂玉貸機等）の数や大きさ、遊技場（遊技機島の設置場所）の状況等に応じて適宜決定される。
【０００７】
このため、特許文献１に記載の遊技機島では、遊技機や台間機器の選定が完了しない場合、フレーム部材の配置間隔が決まらず、上段ユニットや下段ユニットを形成できないという問題があった。
すなわち、遊技機や台間機器の選定には、一般的に時間がかかることが多いため、施工の開始が遅れてしまい、遊技機島を期日までに構築することが困難となる場合があった。
【０００８】
また、施工開始後に台間機器等を追加配置することが決定された場合、フレーム部材の配置間隔を変更する必要が生じてしまう。この場合もまた、変更後の配置間隔に合わせて上段ユニット及び下段ユニットを再作製する必要が生じてしまうので、遊技機島の期日までの構築が困難となる。
以上のことから、施工開始後の作業を簡易化し、遊技機島をいち早く構築したいという欲求があった。
【０００９】
さらに、遊技機島を構築する毎に、フレーム部材の配置間隔に合わせてその都度上段ユニット及び下段ユニットを作製するので、構築する遊技機島毎に上段ユニット及び下段ユニットの大きさが異なるものとなってしまう。このことから、大量生産に向かず、遊技機島の製造コストを低減する上で改善の余地があった。
【００１０】
そこで本発明は、遊技機島の製造において、製造コストを低減し、施工開始後の作業を簡易化するための技術を提供することを課題とする。
【課題を解決するための手段】
【００１１】
上記課題を解決するための請求項１に記載の発明は、遊技機を設置する配設部と、前記配設部の上部側に位置する上部側壁部と、前記配設部の下部側に位置する下部側壁部と、前記上部側壁部又は前記下部側壁部の少なくとも一方を支持する荷重支持部材とを有し、さらに前記上部側壁部又は前記下部側壁部の少なくとも一方は、外壁材と立体構造の外壁保持部材を有し、前記外壁保持部材によって前記外壁材が保持されている遊技機島の製造方法であって、前記外壁保持部材の一部又は全部を有し、規定寸法に基づく大きさのユニット体を形成するユニット体形成工程と、複数の前記荷重支持部材を間隔を空けて並べる支持部材配置工程と、少なくとも一の前記ユニット体が含まれ、複数の前記荷重支持部材に固定する構造体を形成する構造体形成工程とを含み、前記構造体形成工程では、前記ユニット体を並べることで前記ユニット体の並列方向の合計長さを規定長さにできない場合に、前記ユニット体と近接する位置に不足分の大きさを補う調整部材を配することを特徴とする遊技機島の製造方法である。
【００１２】
本発明の遊技機島の製造方法では、上部側壁部や下部側壁部といった壁部分の少なくとも一部を形成するユニット体を規定寸法に基づく大きさで形成する。そして、このユニット体を複数並べる、又は、少なくとも一つのユニット体と少なくとも一つの調整部材を並べることで構造体を形成し、この構造体によって壁部分を形成することができる。
すなわち、ユニット体を複数並べることで、ユニット体の並列方向の合計長さが規定長さとなる場合には、規定大きさのユニット体を並べて構造体を形成する。対して、規定大きさのユニット体を複数並べても構造体の長さを規定長さにできない場合には、ユニット体と調整部材によって構造体を形成する。
【００１３】
このことから、構築する遊技機島の全体の大きさが変わり、壁部分の構築において必要とされる構造体の大きさが変わっても、ユニット体の数を可変させたり、必要に応じて一部分を調整部材で形成したりすることで、必要な大きさの構造体を構築できる。
また、支柱部材（荷重支持部材）の配置間隔に関わらず、規定大きさのユニット体によって構造体の全部又は大部分を構築するので、支柱部材の配置間隔が決定される前からユニット体の生産が可能となる。
つまり、本発明の遊技機島の製造方法では、構築する遊技機島の大きさや、支柱部材の配置間隔が変わっても同一のユニット体を使用して壁部分を構築可能である。このことから、ユニット体の事前の大量生産が可能となり、製造コストを低減や、施工開始後の作業の簡易化（施工期間の短縮）が可能となる。
【００１４】
請求項２に記載の発明は、前記ユニット体形成工程では、前記上部側壁部の前記外壁保持部材の一部又は全部となる前記ユニット体と、前記下部側壁部の前記外壁保持部材の一部又は全部となる前記ユニット体とをそれぞれ形成し、前記支持部材配置工程では、複数の前記荷重支持部材のそれぞれを設置場所の床に対して固定し、一の前記荷重支持部材に対し、前記上部側壁部の一部を形成する前記外壁保持部材を固定し、且つ、前記下部側壁部の一部を形成する前記外壁保持部材を固定することを特徴とする請求項１に記載の遊技機島の製造方法である。
【００１５】
かかる構成では、より多くの壁部分をユニット体を使用して構築可能であり、製造コストのさらなる低減や、施工開始後の作業のさらなる簡易化を図ることができる。また、床に固定した荷重支持部材に対して外壁保持部材を固定する構造であるので、荷重支持部材からの荷重を床で支えることが可能となり、製造した遊技機島を安定させることが可能である。
【００１６】
請求項３に記載の発明は、前記支持部材配置工程に先だって、前記支持部材配置工程で並列配置する複数の前記荷重支持部材の配置位置を決定する配置位置決定工程を実施し、前記ユニット体形成工程は、前記配置位置決定工程に先だって実施する工程であることを特徴とする請求項１又は２に記載の遊技機島の製造方法である。
【００１７】
かかる構成では、荷重支持部材の配置位置が決定される前にユニット体を製造するので、ユニット体の事前の大量生産が可能となる。
【００１８】
請求項４に記載の発明は、前記構造体は、少なくとも一つの前記ユニット体と少なくとも一つの前記調整部材が並べられて形成される、又は、複数の前記ユニット体が並べられて形成されるものであり、前記構造体を複数の前記荷重支持部材に固定する際、少なくとも一の前記ユニット体の一部分であり、前記構造体を構成する部材の並列方向における両端部分から離れた部分を一の前記荷重支持部材に固定することを特徴とする請求項１乃至３のいずれかに記載の遊技機島の製造方法である。
【００１９】
上記した遊技機島の製造方法では、このようにユニット体を固定することが好ましい。
【００２０】
請求項５に記載の発明は、遊技機を設置する配設部と、前記配設部の上部側に位置する上部側壁部と、前記配設部の下部側に位置する下部側壁部と、前記上部側壁部又は前記下部側壁部の少なくとも一方を支持する荷重支持部材とを有し、さらに前記上部側壁部又は前記下部側壁部の少なくとも一方は、外壁材と立体構造の外壁保持部材を有し、前記外壁保持部材によって前記外壁材が保持されている遊技機島の製造方法であって、前記外壁保持部材の一部又は全部を有し、規定寸法に基づく大きさのユニット体を形成するユニット体形成工程と、複数の前記荷重支持部材の配置位置を決定する配置位置決定工程と、複数の前記荷重支持部材を間隔を空けて並べる支持部材配置工程を含み、前記ユニット体形成工程は、前記配置位置決定工程に先だって実施可能であることを特徴とする遊技機島の製造方法である。
【００２１】
本発明もまた、上記したように荷重支持部材の配置位置が決定される前にユニット体を製造するので、ユニット体の事前の大量生産が可能となる。
【００２２】
請求項６に記載の発明は、遊技機を設置する配設部と、外壁保持部材に外壁材が保持されて形成される壁部分と、前記壁部分を支持する荷重支持部材とを有する遊技機島であり、遊技場に構築される遊技機島の製造方法であって、前記外壁保持部材の一部又は全部を有し、規定寸法に基づく大きさのユニット体を前記遊技場の外で形成するユニット体形成工程と、複数の前記荷重支持部材の配置位置を決定する配置位置決定工程と、前記遊技場の中で複数の前記荷重支持部材のそれぞれを設置場所の床に対して固定し、間隔を空けて並べる支持部材配置工程と、少なくとも一の前記ユニット体が含まれ、複数の前記荷重支持部材に固定する構造体を形成する構造体形成工程とを含み、前記ユニット体形成工程を前記配置位置決定工程に先だって実施し、前記構造体形成工程は、前記構造体の長さを調整する調整工程を含み、前記調整工程は、複数の前記ユニット体を連結させて前記構造体を形成できない場合に、前記構造体の不足分を他部材、又は、前記ユニット体に基づいて形成される部材によって形成する工程であることを特徴とする遊技機島の製造方法である。
【００２３】
本発明もまた、製造コストの低減や施工開始後の作業の簡易化が可能となる。
【００２４】
請求項７に記載の発明は、遊技機を設置する配設部を有し、当該配設部の上部側に上部側壁部があり、前記配設部の下部側に下部側壁部を有し、前記上部側壁部又は前記下部側壁部の少なくとも一方は、外壁材と立体構造の外壁保持部材を有し、前記外壁保持部材によって前記外壁材が保持されている遊技機島において、ユニット体と、複数の荷重支持部材を有し、前記ユニット体は、少なくとも前記外壁保持部材の一部を構成する部材を含み、前記荷重支持部材は、前記ユニット体が取り付けられて前記ユニット体の垂直荷重を支持するものであり、前記外壁保持部材は、前記ユニット体を含んで形成される構造体によって少なくとも一部が形成されるものであり、前記構造体は、複数の前記ユニット体を並列配置して形成される、又は、前記ユニット体と前記ユニット体とは並列方向の長さが異なる調整部材を並列配置して形成されるものであり、前記構造体は、隣接する前記ユニット体同士、又は、隣接する前記ユニット体と前記調整部材の端面が接触又は近接する境界部があり、少なくとも一つの前記境界部は、前記構造体を構成する部材の並列方向において、前記荷重支持部材から離れた位置にあることを特徴とする遊技機島である。
【００２５】
本発明の遊技機島は、安価に製造可能であり、製造時における施工開始後の作業を簡易化できる。
【００２６】
請求項８に記載の発明は、遊技球を上方へ搬送するための揚送装置と、前記揚送装置に流入する遊技球が流れる導入用流路とを備え、少なくとも一つの前記荷重支持部材は、下記（ａ）〜（ｃ）のいずれかによって形成されていることを特徴とする請求項７に記載の遊技機島である。
（ａ）前記揚送装置と連結されて上方に延びる揚送流路の水平方向への移動を規制する規制部を備えた柱状体及び／又はその土台部分、
（ｂ）前記揚送装置と連結されて上方に延びる揚送流路を配設する空間の外側で縦材及び横材を枠組みして形成される枠柱体及び／又はその土台部分、
（ｃ）前記揚送装置の外側に配される箱体又は枠体であり、前記導入用流路の一部を取り付ける流路取付部を備え、内側に前記揚送装置の少なくとも一部を配される外郭部材、及び／又は、当該外郭部材から上方に延びる柱状体。
【００２７】
かかる構成では、揚送流路と隣接する位置で揚送流路の位置ずれを防止する柱状体や枠柱体、さらには揚送装置の外郭部材から延びる柱状体を荷重支持部材として使用する。このことから、揚送装置周辺の柱状の部材を配置し難い（配置できない）位置に、構造体の荷重を支持する部分を形成できる。
また、揚送流路の位置ずれを防止する柱状体や枠柱体を利用して荷重支持部材を形成する場合、不必要に部材を増やすことなく構造体の荷重を支持する部分を増やすことが可能となり、遊技機島の全体強度の向上を図ることができる。
【００２８】
請求項９に記載の発明は、前記上部側壁部は、前記外壁保持部材の一部を構成する前記ユニット体である上側ユニット体を有し、前記上側ユニット体は、上側上板部と、当該上側上板部の下方側に位置する上側下板部と、前記上側上板部と前記上側下板部を連結する上側立板部を有し、前記荷重支持部材の少なくとも一つは、前記上側ユニット体を固定するための上側取付部を有し、前記上側上板部及び前記上側下板部に締結要素が挿通され、前記上側上板部及び前記上側下板部と前記上側取付部とが一体に固定されていることを特徴とする請求項７又は８に記載の遊技機島である。
【００２９】
本発明の遊技機島は、このような構成であることが好ましい。
【００３０】
請求項１０に記載の発明は、前記下部側壁部は、前記外壁保持部材の一部を構成する前記ユニット体である下側ユニット体を有し、前記荷重支持部材の少なくとも一つは、前記下側ユニット体を固定するための下側取付部を有し、前記下側取付部は、前記下側ユニット体を載置するためのユニット載置部と、前記ユニット載置部よりも内側で上下方向に延びる下側添設体を有し、前記下側添設体は、前記下側ユニット体に内側から接触しており、前記下側ユニット体の内側部分と前記下側添設体は、締結要素が挿通されて一体に固定されていることを特徴とする請求項７乃至９のいずれかに記載の遊技機島である。
【００３１】
かかる構成によると、下側ユニット体を固定する際の位置合わせが容易であり、下側ユニット体を簡易に固定可能であるので好ましい。
【００３２】
請求項１１に記載の発明は、前記下側ユニット体は、膳板の少なくとも一部を形成する膳板形成部材と、下端側部分を形成する下側下板部を有し、前記膳板形成部材及び前記下側下板部は、いずれも平板状の部材であり、且つ、いずれも端面から前記締結要素が挿入されていることを特徴とする請求項１０に記載の遊技機島である。
【００３３】
かかる構成では、下側ユニット体を固定する際、下側ユニット体の背板部分を厚くしたりすることなく、下側ユニット体に締結要素を深く挿し込むことが可能であるので、簡易かつ強固に固定する上でより好ましい。
【００３４】
請求項１２に記載の発明は、前記上部側壁部と前記下部側壁部は、それぞれ異なる前記構造体によって少なくとも一部が形成されるものであり、前記上部側壁部の少なくとも一部を形成する前記構造体の前記境界部のうちの少なくとも一つと、前記下部側壁部の少なくとも一部を形成する前記構造体の前記境界部のうちの少なくとも一つとが、いずれも前記構造体を構成する部材の並列方向において、前記荷重支持部材から離れた位置にあることを特徴とする請求項７乃至１１のいずれかに記載の遊技機島である。
【００３５】
かかる構成では、より多くの壁部分がユニット体を使用して構築されており、より安価に製造可能であると共に、施工開始後の作業をより簡易化できる。
【００３６】
請求項１３に記載の発明は、遊技機を設置する配設部を有し、当該配設部の上部側に上部側壁部があり、前記配設部の下部側に下部側壁部を有する遊技機島において、複数のユニット体と、複数の荷重支持部材を有し、前記ユニット体は、前記上部側壁部及び／又は前記下部側壁部の一部を形成する立体構造の部材であり、前記荷重支持部材は、前記ユニット体が取り付けられて前記ユニット体の垂直荷重を支持するものであり、複数の前記ユニット体が並べられた状態で前記荷重支持部材に支持され、隣接する前記ユニット体同士の端面が接触又は近接する境界部があり、当該境界部のいずれかは前記荷重支持部材から前記ユニット体の並列方向に離れた位置にあることを特徴とする遊技機島である。
【００３７】
本発明の遊技機島もまた、安価に製造可能であり、製造時における施工開始後の作業を簡易化できる。
【発明の効果】
【００３８】
本発明によると、遊技機島を安価に製造可能であり、製造時における施工開始後の作業を簡易化できる。
【図面の簡単な説明】
【００３９】
【図１】本発明の実施形態に係る遊技機島を示す斜視図である。
【図２】図１で示される遊技機島の内部側の主要部を示す斜視図であり、一部分を拡大して示す。
【図３】図２で示される第一支柱部材を示す斜視図である。
【図４】図３で示される上側横桟部材を示す斜視図である。
【図５】（ａ）は、図３で示される第一上側取付部を示す斜視図であり、（ｂ）は、図３で示される第一下側取付部を示す斜視図である。
【図６】図３で示されるアンカー連結部を示す斜視図である。
【図７】図２で示される第二支柱部材を示す斜視図であり、一部分を拡大して示す。
【図８】図７で示される第二上側取付部の連結体部を示す斜視図であり、（ａ）、（ｂ）はそれぞれ異なる方向からみた斜視図である。
【図９】（ａ）は、図７で示される第二上側取付部の第一固定片部を示す斜視図であり（ｂ）は、図７で示される第二上側取付部の第二固定片部を示す斜視図である。
【図１０】図７で示される第二下側取付部を示す分解斜視図である。
【図１１】図２で示される上側ユニット体を示す図であり、（ａ）は一部を拡大して示す斜視図、（ｂ）は（ａ）のＡ−Ａ断面図である。
【図１２】図２で示される上側調整部材を示す図であり、（ａ）は斜視図、（ｂ）は平面図である。
【図１３】図２で示される下側ユニット体を示す図であり、（ａ）は一部を拡大して示す斜視図、（ｂ）は（ａ）のＢ−Ｂ断面図である。
【図１４】図２で示される下側調整部材を示す図であり、（ａ）は斜視図、（ｂ）は平面図である。
【図１５】図２で示される下側調整部材であり、図１４とは異なる下側調整部材を示す図であり、（ａ）は斜視図、（ｂ）は平面図である。
【図１６】遊技機島の製造手順を示す説明図であり、遊技場の床面にベース部材を固定した状態を示す。
【図１７】図１６に続いてベース部材に支柱部材の下端側部分を固定する様子を示す説明図である。
【図１８】図１６に続いてベース部材に支柱部材が取り付けられた状態を示す説明図である。
【図１９】図１８に続いて支柱部材間に研磨機ユニットを配設した様子を示す説明図である。
【図２０】並列配置した支柱部材に対して、下側連結構造体を取り付ける様子を示す説明図であり、一部を省略して示す。
【図２１】並列配置された支柱部材に下側連結構造体が取り付けられた状態を模式的に示す説明図である。
【図２２】下側連結構造体の一部を第二支柱部材に固定する手順を示す説明図であり、（ａ）、（ｂ）の順に固定する。
【図２３】並列配置した支柱部材に対して、上側連結構造体を取り付ける様子を示す説明図であり、一部を省略して示す。
【図２４】並列配置された支柱部材に上側連結構造体が取り付けられた状態を模式的に示す説明図である。
【図２５】上側連結構造体の一部を第二支柱部材に固定する手順を示す説明図であり、（ａ）、（ｂ）の順に固定する。
【図２６】２つの上側連結構造体に対して天板を固定する様子を示す説明図であり、（ａ）、（ｂ）の順に固定する。
【図２７】上側連結構造体に対して外壁面を形成する各種部材を取り付ける様子を示す説明図であり、（ａ）、（ｂ）の順に取り付ける。
【図２８】下側連結構造体に対して外壁面を形成する各種部材を取り付ける様子を示す説明図であり、（ａ）、（ｂ）の順に取り付ける。
【図２９】第一レール部材及び第二レール部材に対して腰板を取り付ける様子を示す説明図である。
【図３０】上記とは異なる実施形態に係る遊技機島の主要部を模式的に示す説明図であり、（ａ）、（ｂ）は、それぞれ異なる遊技機島を示す。
【図３１】（ａ）は上記とは異なる実施形態に係る上側調整部材を示す斜視図であり（ｂ）は上記とは異なる実施形態に係る下側調整部材を示す斜視図である。
【図３２】上記とは異なる実施形態に係る上側調整部材を取り付ける様子を示す説明図である。
【図３３】上記とは異なる実施形態に係る支柱部材を示す斜視図である。
【図３４】上記とは異なる実施形態に係る支柱部材の下方側部分を示す斜視図である。
【図３５】上記とは異なる実施形態に係る支柱部材の下方側部分を示す斜視図であり、（ａ）は、ベース部材に直接固定した様子を示し、（ｂ）は、下端側部分にアンカー連結部を取り付けた様子を示す。
【図３６】上記とは異なる実施形態に係る支柱部材を示す斜視図である。
【図３７】本発明の遊技機島内に配置可能な柱状立設体を示す説明図であり、下側の土台部分を省略して示す。
【図３８】上記した実施形態とは異なる研磨機ユニットを示す分解斜視図であり、研磨揚送装置を模式的に示す。
【図３９】（ａ）は、異なる２つの上側連結構造体に補助連結部材を取り付けた状態を示す説明図であり、（ｂ）は、異なる２つの下側連結構造体に補助連結部材を取り付けた状態を示す説明図である。
【図４０】上記とは異なる実施形態に係る支柱部材に上側連結構造体を取り付ける様子を示す説明図であり、（ａ）、（ｂ）の順に取り付ける。
【図４１】上記とは異なる実施形態に係る支柱部材に上側連結構造体を取り付ける様子を示す説明図であり、（ａ）、（ｂ）の順に取り付ける。
【発明を実施するための形態】
【００４０】
以下、本発明の実施形態について、図面を参照しつつ詳細に説明する。また、前後、上下、左右の方向は、特に断りのない限り、図１を基準に説明とする。
なお、以下の各実施形態は、本発明を具体化した例であり、本発明がこれらの例に限定されるものではない。
【００４１】
本発明の実施形態に係る遊技機島１は、図１で示されるように、複数の遊技機２を配設するための構造物であり、全体の外形が略直方体状となる箱型構造物となっている。
すなわち、遊技機島１は、長手方向の一端側及び他端側のそれぞれに位置する２つの長手側壁部１０と、短手方向の一端側及び他端側のそれぞれに位置する２つの短手側壁部１１（一方については図１では図示しない）からなる４つの側壁部分を有する。
【００４２】
長手側壁部１０は、主に装飾を目的とする板状部材（後述する妻板部材４１）によって形成される側壁部分である。この長手側壁部１０は、必要に応じて呼出ランプ等の機器（島用設備）が取り付けられる部分である。
【００４３】
短手側壁部１１は、遊技機２の取り付け部分が形成される側壁部分であり、上側の外壁部分を形成する上部側壁部１５（壁部分）と、下側の外壁部分を形成する下部側壁部１６（壁部分）と、これらの間に位置する機器配置部１７（配設部）を有する。
すなわち、短手側壁部１１には、高さ方向における中央側部分に、遊技機２や台間機器２０等を配置するための空間である機器配置部１７が形成されている（図２等参照）。
なお、図１では、作図の都合上、一部の遊技機２にのみ符号を付しており、他への符号を省略している。また、他部材（例えば、図１では台間機器２０、台間板部材４４等）についても同様に、複数のうちの一部にのみ適宜符号を付し、他への符号を省略している。このことは、以下の図面においても同様であり、適宜一部の符号を省略している。
【００４４】
下部側壁部１６は、遊技機２の下方側に位置する膳板部分２５と、この膳板部分２５の下方側に隣接する外壁部分を形成している。
【００４５】
機器配置部１７は、遊技機島１の内外を連通し、遊技機島１の長手方向に沿って延びる空間である（図２参照）。
【００４６】
ここで、本実施形態では、機器配置部１７に配置する遊技機２として、所謂ぱちんこ機（弾球遊技機）を採用している。つまり、この遊技機２は、遊技球（ぱちんこ球であり遊技媒体）を本体内の遊技領域に打ち出し、遊技領域に形成された入賞口に入賞させる遊技が可能となっている。
【００４７】
また、本実施形態では、機器配置部１７に配置する台間機器２０として、遊技媒体貸出機（所謂玉貸機）を採用している。
遊技媒体貸出機は、遊技者に対して遊技球（遊技媒体）を貸し出すための装置である。
また、この他、台間機器２０としては、例えば、分煙用装置が採用できる。
例えば、本実施形態では、２つの遊技機２の間に一つの台間機器２０を設けているが、これに替わって複数の台間機器２０を設けてもよい。すなわち、２つの遊技機２の間に二つの台間機器２０を設け、それぞれの台間機器２０として遊技媒体貸出機と、分煙用装置を採用してもよい。
【００４８】
なお、ここでいう分煙用装置は、所定の席から臨席へ向かう煙草の煙の流れを遮断（又は抑制）するための装置である。この分煙用装置としては、空気を吹き出すエアーカーテン装置や、物理的に煙を遮断する板状体（分煙ボード）を備えた遮蔽装置がある。
【００４９】
そして、機器配置部１７において、遊技機２と台間機器２０が配置されていない部分には、遊技機島１の外壁面（短手側壁部１１の外壁面）の一部を形成する板部材（後述する台間板部材４４）を配置している。すなわち、機器配置部１７では、一部に遊技機２と台間機器２０が配置され、他の一部が台間板部材４４で覆われた状態となっている。つまり、短手側壁部１１では、遊技機２、台間機器２０、台間板部材４４が遊技機島１の内部空間と外部を隔てるように配置されており、これらによって遊技機島１の内外が分断された状態（空間が埋められた状態）となっている。
なお、遊技機２は、図１で示されるように、遊技機島１の長手方向に沿って並列するようにそれぞれ配されている。つまり、遊技機島１の長手方向とは、複数の遊技機２の並列方向でもある。また、遊技機島１の短手方向は、水平面に平行であって遊技機２の並列方向と交わる方向である。
【００５０】
ここで、遊技機島１は、図２で示されるように、内部に複数の支柱部材３０（荷重支持部材）を備えた構造となっている。さらに、上側ユニット体３１（ユニット体）と、上側調整部材３２（調整部材）と、下側ユニット体３３（ユニット体）と、下側調整部材３４（調整部材）を備えた構造となっている。
【００５１】
詳しくは後述するが、複数の上側ユニット体３１と複数の上側調整部材３２によって上側連結構造体３７（外壁保持部材、構造体）が形成されており、この上側連結構造体３７が複数の支柱部材３０の上側部分に対して取り付けられている。同様に、複数の下側ユニット体３３と複数の下側調整部材３４によって下側連結構造体３８（外壁保持部材、構造体）が形成されており、この下側連結構造体３８が複数の支柱部材３０の下側部分に対して取り付けられている。その上で、これらに天板部材４０、妻板部材４１、幕板部材４２、ランプ板形成部材４３、台間板部材４４、腰板部材４５等の遊技機島１の外壁面を形成する部材（外壁材）が取り付けられ（図１参照、詳しくは後述する）、遊技機島１の壁部分が形成されている。
【００５２】
支柱部材３０には、具体的には、図２で示されるように、遊技機島１の長手方向における端部側に配される第一支柱部材５０と、遊技機島１の長手方向における中央側に配される第二支柱部材５１とが含まれる。つまり、本実施形態の遊技機島１は、形状の異なる２つの支柱部材３０を有する。
【００５３】
第一支柱部材５０は、金属製の部材であり、図３で示されるように、支柱本体部５５と、第一上側取付部５６と、第一下側取付部５７と、アンカー連結部５８を備えた構造となっている。
【００５４】
支柱本体部５５は、上下方向に延びる２つの縦桟部材５５ａと、この２つの縦桟部材５５ａの上端側を連結するように延びる上側横桟部材５５ｂと、２つの縦桟部材５５ａの下端側を連結するように延びる下側横桟部材５５ｃを有している。そして、これらが一体に固定されて形成されている。
【００５５】
縦桟部材５５ａは、断面形状が略コ字状で上下方向に延びる長尺部材となっている。
【００５６】
上側横桟部材５５ｂは、図４で示されるように、金属板を適宜折り曲げ加工して形成される略直方体の長尺部材となっている。
すなわち、上側横桟部材５５ｂは、上板部６０及び下板部６１と、上板部６０及び下板部６１の間に形成される内部空間を囲む４つの側壁部を有する。具体的には、長手方向における両端部にそれぞれ位置する２つの第一側壁部６２と、短手方向の両端部にそれぞれ位置する２つの第二側壁部６３を有する構造となっている。
なお、２つの第二側壁部６３の一方は、外部と内部空間を連通する欠落部６３ａを有している。そして、この欠落部６３ａは、第二側壁部６３の高さ方向における中央側で、第二側壁部６３を上側部分と下側部分の２つに分断するように、上側横桟部材５５ｂの長手方向に沿って延びている。
【００５７】
ここで、下板部６１には、下板部６１を上下方向（厚さ方向）に貫通する縦桟取付孔６４が形成されている。この縦桟取付孔６４は、上記した縦桟部材５５ａ（図３参照）を挿入するための孔であり、長手方向で離れた位置にそれぞれ一つずつ形成されている。
すなわち、上側横桟部材５５ｂと縦桟部材５５ａは、縦桟部材５５ａのそれぞれの上端側部分が上側横桟部材５５ｂの内部空間に挿入された状態で一体に固定される（図３参照）。
【００５８】
下側横桟部材５５ｃは、図３で示されるように、上側横桟部材５５ｂと同じく上板部６０、下板部６１と４つの側壁部を有する。すなわち、上側横桟部材５５ｂと略同形の部材であり、重複する詳細な説明を省略する。
この下側横桟部材５５ｃは、下板部６１ではなく上板部６０に縦桟取付孔６４が形成されている点で上側横桟部材５５ｂと異なる構造となっている。また、下側横桟部材５５ｃは、長手方向の長さが上側横桟部材５５ｂよりも長い点でも上側横桟部材５５ｂとは異なる部材となっている。
【００５９】
つまり、支柱本体部５５では、それぞれ上端側周辺と下端側周辺で同方向に延びる（互いに平行となるように延びる）上側横桟部材５５ｂと下側横桟部材５５ｃとが、２つの縦桟部材５５ａによって連結された状態となっている。
ここで、２つの縦桟部材５５ａは、いずれも上側横桟部材５５ｂ、下側横桟部材５５ｃの長手方向（遊技機島１の短手方向）の両端からそれぞれ中央側に離れた位置に連結されている。そして、上側横桟部材５５ｂの長手方向における両端部分（２つの第一側壁部６２、図４参照）のそれぞれが、第一上側取付部５６を固定するための取付片部として機能する。同様に、下側横桟部材５５ｃの長手方向における両端部分に位置するそれぞれの側壁部が、第一下側取付部５７を固定するための取付片部として機能する。
【００６０】
第一上側取付部５６は、金属板を折り曲げ加工して形成される部材であり、図５（ａ）で示されるように、柱連結部６８と固定板部６９を有する。
【００６１】
柱連結部６８は、固定板部６９を支柱本体部５５に固定するための部分であり、固定板部６９と支柱本体部５５の間に介在する部分である（図３参照）。この柱連結部６８は、上下方向に延びる立板状の連結板本体６８ａと、連結板本体６８ａの幅方向の縁端部分の一方を折り曲げて形成される補強壁部６８ｂと、連結板本体６８ａの下端部分を段状に折り曲げて形成される屈曲板部６８ｃを有する。
【００６２】
ここで、固定板部６９は、連結板本体６８ａの幅方向における縁端部分の他方と連続している。つまり、連結板本体６８ａ、補強壁部６８ｂ、固定板部６９は、平面視形状が略コ字状となるように連続しており、いずれも上下方向に延びる立板状部分となっている。つまり、補強壁部６８ｂと固定板部６９は、いずれも連結板本体６８ａから同方向に突出している。そして、補強壁部６８ｂと、固定板部６９の突出方向における基端側の一部分とが、突出方向と直交する方向で離間対向している。
【００６３】
屈曲板部６８ｃは、連結板本体６８ａの下端側から突出する平板状部分と、平板状部分の突出端から下方に延びる立板状部分を有する。そして、この屈曲板部６８ｃの平板状部分は、補強壁部６８ｂ及び固定板部６９と同方向に突出している。
【００６４】
固定板部６９は、外形が略長方形状となる立板状部分であり、詳細には、いくつかの角部分を欠落させたような板状部分となっている。この固定板部６９の上端部分は、柱連結部６８の上端部分よりも上側に位置しており、突出方向の長さが補強壁部６８ｂの同方向の長さよりも長くなっている。すなわち、固定板部６９は、補強壁部６８ｂよりも大型の立板状部材となっており、適宜の部分に固定板部６９を厚さ方向に貫通する貫通孔が形成されている。
【００６５】
第一下側取付部５７は、図５（ｂ）で示されるように、柱連結部７５と、固定板部７６と、補助添板部７７とを有する。
【００６６】
柱連結部７５は、固定板部７６及び補助添板部７７を支柱本体部５５に固定するための部分である（図３参照）。具体的には、この柱連結部７５は、図５（ｂ）で示されるように、上下方向に延びる略長方形立板状の連結板本体７５ａと、連結板本体７５ａの幅方向における縁端部分の一方を折り曲げて形成される補強壁部７５ｂとを有する。
【００６７】
ここで、固定板部７６は、連結板本体７５ａの幅方向における縁端部分の他方と連続している。つまり、連結板本体７５ａ、補強壁部７５ｂ、固定板部７６は、平面視形状が略コ字状となるように連続しており、いずれも上下方向に延びる立板状部分となっている。つまり、補強壁部７５ｂと固定板部７６は、いずれも連結板本体７５ａから同方向に突出している。そして、補強壁部７５ｂと、固定板部７６の突出方向における基端側の一部分が、突出方向と直交する方向で離間対向している。
【００６８】
固定板部７６は、補強壁部７５ｂよりも突出方向の長さが長く、補強壁部７５ｂよりも大型の略長方形立板状の部分である。また、この固定板部７６には、適宜の部分に固定板部７６を厚さ方向に貫通する貫通孔が形成されている。
【００６９】
補助添板部７７は、固定板部７６の突出端部分のうち、下端側部分から延びる略長方形立板状の部分である。この補助添板部７７は、詳細には、補強壁部７５ｂから離れる方向であり、補強壁部７５ｂ側から固定板部７６側へ向かう方向に延びる立板状部分となっている。言い換えると、固定板部７６の下側部分と補助添板部７７とは、略Ｌ字状に連続している。
【００７０】
アンカー連結部５８は、図６で示されるように、下板部５８ａ及び立板部５８ｂが連続して形成される略Ｌ字板状の本体部分と、立板部５８ｂの上端部分の一部から突出する上板部５８ｃを備えた構造となっている。
上板部５８ｃは、立板部５８ｂの上端部分のうち、中央側の一部分から突出する平板状部分であり、下板部５８ａと離間対向する部分となっている。
【００７１】
第一支柱部材５０では、図３で示されるように、上側横桟部材５５ｂの長手方向における両端部分のそれぞれに第一上側取付部５６を一つずつ取り付けている。
詳細には、上側横桟部材５５ｂの第一側壁部６２（図４参照）と、第一上側取付部５６の連結板本体６８ａの下端側部分を重ね合わせ、これらを適宜な固定手段で一体に固定している。
なお、ここでいう「固定手段」とは、締結要素や、接着剤等の複数部材の間に介在して接着力を発揮する部材、溶接等の接合部を連続性のある一体化された一部材とする手段を含むものとする。また、このことは、以下の記載においても同様のものとする。さらに、ここでいう「締結要素」とは、ネジ、釘、ボルトといった、複数部材を貫通して（又は少なくとも一部材を貫通すると共に他の一部材内に挿通して）一体に固定する棒状の固定手段とし、以下の記載においても同様のものとする。
【００７２】
また、第一支柱部材５０の下側部分では、２つの第一下側取付部５７の上端側部分同士が下側横桟部材５５ｃに連結されており、２つの第一下側取付部５７の下端側部分同士がアンカー連結部５８によって連結されている。
すなわち、下側横桟部材５５ｃ、２つの第一下側取付部５７、アンカー連結部５８が四角環状に連続した状態となっている。
【００７３】
具体的には、下側横桟部材５５ｃの長手方向における端部側に位置する側壁部と、第一下側取付部５７の連結板本体７５ａの上端部分とを重ね合わせ、これらを適宜な固定手段で一体に固定している。さらに、第一下側取付部５７の固定板部７６の下端部分と、アンカー連結部５８の立板部５８ｂとを重ね合わせ、これらを適宜な固定手段で一体に固定している。
【００７４】
以上のことから、第一支柱部材５０の上側部分では、２つの固定板部６９がいずれも上側横桟部材５５ｂの長手方向外側へ向かって突出しており、上側横桟部材５５ｂの長手方向の端部周辺から上側に延びている。
また、第一支柱部材５０の下側部分では、２つの固定板部７６がいずれも下側横桟部材５５ｃの長手方向外側へ向かって突出しており、下側横桟部材５５ｃよりもやや下方側から下端部分までの間で延びている。
【００７５】
第二支柱部材５１は、金属製の部材であり、図７で示されるように、支柱本体部５５と、第二上側取付部８０（上側取付部）と、第二下側取付部８１（下側取付部）と、アンカー連結部５８を備えた構造となっている。
なお、支柱本体部５５、アンカー連結部５８については、上記した第一支柱部材５０と同様の部材であるので、詳細な説明を省略する。
【００７６】
すなわち、第二支柱部材５１は、第一支柱部材５０の第一上側取付部５６及び第一下側取付部５７を、第二上側取付部８０及び第二下側取付部８１に取り換えるだけで形成可能となっている。言い換えると、これらの支柱部材３０は、主要部分とは異なる部分を共通の部材で形成している。このような構造は、支柱部材３０を大量生産する上で好ましい。
【００７７】
第二上側取付部８０は、図７で示されるように、連結体部８５と、第一固定片部８６と、第二固定片部８７を有している。
【００７８】
連結体部８５は、図８で示されるように、平面視形状が略Ｔ字となる立板状の本体板部８５ａと、２つで一対の挟持板部８５ｂと、下側取付片部８５ｃを備えた構造となっている。
【００７９】
挟持板部８５ｂは、本体板部８５ａの下方側に位置する部分（縦長の略長方形立板状の部分）と連続しており、詳細には、この部分の幅方向における両端のそれぞれから突出する板状部分となっている。
すなわち、２つの挟持板部８５ｂは、いずれも縦長の板状部分であり、本体板部８５ａから同方向に突出し、突出方向と直交する方向で離間対向している。
【００８０】
なお、挟持板部８５ｂの下端よりもやや上方側の部分は、他の部分よりも突出長さの長い部分となっている。すなわち、挟持板部８５ｂは、突出方向基端側に位置する縦長の立板状部分と、この立板状部分の突出端からさらに突出する立板状の小片部分とを備えた構造となっている。
【００８１】
下側取付片部８５ｃは、本体板部８５ａの下端側部分から外側に突出する平板状部分と、この平板状部分の突出端から下方に延びる立板状部分とを有している。下側取付片部８５ｃの平板状部分は、長手方向の中央側部分が本体板部８５ａと連続しており、その突出方向が挟持板部８５ｂの突出方向の逆向きとなっている。
【００８２】
第一固定片部８６は、図９（ａ）で示されるように、金属板を段状に折り曲げて形成されるものであり、立板部８６ａと、略Ｌ字板状の連結板部８６ｂと、平板状部８６ｃとを有する構造となっている。
すなわち、連結板部８６ｂは、立板部８６ａの上端側部分から水平方向に突出する平板状部分と、平板状部分の突出端から上方に突出する立板状部分を有する。そして、平板状部８６ｃは、連結板部８６ｂの立板状部分の上端部分から水平方向に突出しており、その突出方向が、立板部８６ａの上端部分から突出する平板状部分の突出方向と同方向となっている。
なお、ここでいう「水平方向」とは、完全に水平面と平行となる方向の他、微細に上下方向に傾いた方向（上下方向に１、２度程度傾いた方向）を含むものとする。すなわち、「水平方向」とは、水平方向成分を含む方向であって実質的に水平方向となる方向であり、以下の記載についても同様のものとする。
【００８３】
第二固定片部８７は、図９（ｂ）で示されるように、金属板を略Ｌ字状に折り曲げて形成される板状部材であり、立板部８７ａと、立板部８７ａの下端部分から水平方向に突出する平板状部８７ｂを備えた構造となっている。
【００８４】
そして、図７で示されるように、連結体部８５の本体板部８５ａの上側部分と下側部分のそれぞれに第一固定片部８６、第二固定片部８７を固定することで、第二上側取付部８０が形成されている。
【００８５】
具体的には、第一固定片部８６は、立板部８６ａ（図９（ａ）参照）を本体板部８５ａに重ね合わせ、これらを適宜な固定手段で固定することにより、連結体部８５に一体に固定された状態となっている。
また、第二固定片部８７は、立板部８７ａを本体板部８５ａに重ね合わせ、これらを適宜な固定手段で固定することにより、連結体部８５に一体に固定された状態となっている。
【００８６】
このとき、第二固定片部８７は、平板状部８７ｂの内側部分が、下側取付片部８５ｃの平板状部分の上に載置された状態となっている。つまり、平板状部８７ｂと立板部８７ａの境界に形成される角部分が、本体板部８５ａと下側取付片部８５ｃの平板状部分の境界に形成される角部分に当接した状態となっている。また、平板状部８７ｂの外側部分は、下側取付片部８５ｃの立板状部分の上方で外側へ突出する部分となっている。
【００８７】
第二下側取付部８１は、図７で示されるように、連結添板部９０と、載置台形成部９１を備えている。
【００８８】
連結添板部９０は、図１０で示されるように、上下方向に延びる立板状の部材であり、上方に位置する添板形成部９０ａ（下側添設体）と、下方側に位置する連結板部９０ｂが一体となって形成されている。
添板形成部９０ａは、縦長の略長方形立板状の部分であり、詳細には、下方側の角部分を切り落とした立板状部分である。添板形成部９０ａは、その大部分が、連結板部９０ｂと比べて幅方向の長さが長くなっている。
連結板部９０ｂは、細長い縦長の略長方形板状の部分であり、添板形成部９０ａの下端部分から下方へ向かって延びる部分である。
【００８９】
載置台形成部９１は、縦長の略長方形立板状となる連結板部９１ａと、２つの突出板部９１ｂと、２つの載置板部９１ｃ（ユニット載置部）と、補助添板部９１ｄを有しており、これらが一体となって形成される。
【００９０】
突出板部９１ｂは、連結板部９１ａの幅方向における両端部分のそれぞれから外側へ突出する立板状部分である。２つの突出板部９１ｂは、連結板部９１ａから同方向に突出しており、突出方向と直交する方向で離間対向している。
【００９１】
載置板部９１ｃは、突出板部９１ｂの上端部分を折り曲げて形成される平板状部分である。２つの載置板部９１ｃは、いずれも突出板部９１ｂの上端部分から突出しており、その突出方向が互いに逆向きとなっている。すなわち、２つの載置板部９１ｃは、いずれも突出板部９１ｂの並列方向で外側へ突出する部分であり、それぞれが互いに離れる方向に突出している。
【００９２】
補助添板部９１ｄは、一方の突出板部９１ｂの突出端部分から延びる立板状部分であり、詳細には、突出端部分の下端側部分から延びている。
ここで、補助添板部９１ｄは、突出板部９１ｂの一部分と略Ｌ字状に連続しており、この突出板部９１ｂから突出する載置板部９１ｃと同方向に延びている。つまり、同一の突出板部９１ｂから突出する載置板部９１ｃと、補助添板部９１ｄの突出方向が同方向となっている。
【００９３】
そして、連結添板部９０の連結板部９０ｂと、載置台形成部９１の連結板部９１ａを重ね合わせ、これらを一体に固定することで、第二下側取付部８１が形成されている（図７参照）。
【００９４】
第二支柱部材５１では、図７で示されるように、上側横桟部材５５ｂの長手方向における両端それぞれに第二上側取付部８０を一つずつ取り付けている。詳細には、上側横桟部材５５ｂの長手方向における端部側の部分を、２つの挟持板部８５ｂ（図８参照）で挟み込んだ状態とし、適宜な固定手段で固定している。
【００９５】
また、第二支柱部材５１の下側部分では、下側横桟部材５５ｃの長手方向における両端それぞれに、それぞれ別の第二下側取付部８１の上端側部分が取り付けられている。
そして、２つの第二下側取付部８１の下端側部分同士が、アンカー連結部５８によって連結されている。
すなわち、下側横桟部材５５ｃ、２つの第二下側取付部８１、アンカー連結部５８が四角環状に連続した状態となっている。
【００９６】
具体的には、下側横桟部材５５ｃの長手方向における端部に位置する側壁部と、第二下側取付部８１の添板形成部９０ａの上端部分とを重ね合わせ、これらを適宜な固定手段で一体に固定している。さらに、第二下側取付部８１一方の突出板部９１ｂ（補助添板部９１ｄと連続する突出板部９１ｂ、図１０参照）と、アンカー連結部５８の立板部５８ｂとを重ね合わせ、これらを適宜な固定手段で一体に固定している。
【００９７】
以上のことから、第二支柱部材５１の上側部分では、上側横桟部材５５ｂの長手方向で、上側横桟部材５５ｂよりも外側に位置する部分において、第一固定片部８６と第二固定片部８７とが上下方向で離れた位置に配された状態となっている。詳細には、厚さ方向が上下方向となる２つの平板状部８６ｃ，８７ｂが離間対向し、いずれも遊技機島１の短手方向外側へ延びている。
【００９８】
また、第二支柱部材５１の下側部分では、下側横桟部材５５ｃの長手方向で、添板形成部９０ａの下端側部分の外側となる位置に、２つの載置板部９１ｃが位置している。そして、２つの載置板部９１ｃは、遊技機島１の長手方向で間隔を空けて並列配置されている。そして、２つの載置板部９１ｃの上側であって添板形成部９０ａと隣接する位置が、下側ユニット体３３の一部を配置するための部分となる（詳しくは後述する）。
【００９９】
上側ユニット体３１は、図１１で示されるように、上面形成部材９５（上側上板部）と、下面形成部材９６（上側下板部）と、側壁形成部材９７と、複数の上下連結部材９８（上側立板部）と、補助補強板部材９９を有する立体構造物である。
この上側ユニット体３１は、長手方向の長さＬ１が予め定められた所定長さとなるように形成するものであり、本実施形態では、長手方向の長さＬ１が１８００ｍｍとなるように形成している。
【０１００】
上面形成部材９５は、全体形状が略長方形平板状となる長尺部材である。この上面形成部材９５の上面には、奥側（遊技機島１の短手方向における内側）の一部に欠落部９５ａが形成されている。この欠落部９５ａは、下方に向かって凸となる窪み部分を形成し、上面形成部材９５の長手方向全域に亘って延びる部分となっている。
【０１０１】
下面形成部材９６は、略長方形平板状の長尺部材であり、上面形成部材９５の下方側に離れた位置に配されている。
【０１０２】
側壁形成部材９７は、下面形成部材９６及び上下連結部材９８の外側端面（遊技機島１の短手方向における外側面）に対して一体に固定される立板状の部材である。詳細には、内外方向（遊技機島１の短手方向）を厚さ方向とする横長の略長方形立板状の部材となっている。
ここで、側壁形成部材９７の下面は、下面形成部材９６の下面と同一の高さに配されており、これらが隣接配置されて上側ユニット体３１の下面を形成している。そして、側壁形成部材９７の上端部分は、上面形成部材９５の下面よりも下方側に離れた位置に配されており、詳細には、後述する第一欠落部９８ａの上端よりも下方側に位置している。
つまり、側壁形成部材９７は、上面形成部材９５と下面形成部材９６の間に形成される空間のうち、下方側の一部分を外側から覆うように配されている。
【０１０３】
上下連結部材９８は、立板状の部材であり、遊技機島１の長手方向を視線方向とした平面視形状は、一部が欠落した略縦長長方形状となっている。詳細には、厚さ方向が上側ユニット体３１の長手方向（遊技機島１の長手方向）と同方向となる部材である。
この上下連結部材９８は、上面が上面形成部材９５の下面と接触し、下面が下面形成部材９６の上面と接触した状態でこれらと一体に固定されている。
【０１０４】
ここで、上下連結部材９８には、縁端部分の一部を欠落させて形成される第一欠落部９８ａ、第二欠落部９８ｂ、第三欠落部９８ｃが設けられている。これらはいずれも、上下連結部材９８の長手方向の一端側からみた平面視形状が略四角形状であり、縁端部分から延びる欠落部分となっている。
【０１０５】
第一欠落部９８ａは、高さ方向の中央側であって側壁形成部材９７側の端部を欠落して形成されており、その下端側の一部が側壁形成部材９７の内側（遊技機島１の短手方向で内側）に隣接する位置に配されている。
第二欠落部９８ｂは、第一欠落部９８ａよりも下方側に離れた位置に形成されており、その全域が側壁形成部材９７の内側に隣接する位置に配されている。すなわち、第二欠落部９８ｂは、側壁形成部材９７の内側面と、３つの内周面のそれぞれに周囲を囲まれた空間を形成する。
第三欠落部９８ｃは、上下連結部材９８の内側下端に位置する角部分を欠落させて形成される部分である。
【０１０６】
補助補強板部材９９は、横長の略長方形立板状の部材であり、厚さ方向が遊技機島１の短手方向と同方向となる部材である。上面形成部材９５の奥側端面と補助補強板部材９９の手前側の面の一部が接触した状態で、上面形成部材９５に対して固定されている。
ここで、補助補強板部材９９の上面は、上記した欠落部９５ａの底面と隣接する位置に配されており、一連の面を形成している。このことから、上側ユニット体３１では、上面の奥側端部周辺となる位置に、手前側よりも窪んだ部分である天板係合凹部１００が形成されている。
また、上側ユニット体３１の上方奥側に位置する補助補強板部材９９の下方側の部分は、上面形成部材９５の下面よりも下方側に突出する突出部分であり、周囲よりも下方に突出する突起部分を形成している。言い換えると、上面形成部材９５の奥側部分と補助補強板部材９９は、鉤状（略Ｌ字状）に連続する部分となっており、補助補強板部材９９の外側面と上面形成部材９５の下面は段状に連続している。
【０１０７】
以上のように、上側ユニット体３１は、上側部分（上面形成部材９５及び補助補強板部材９９によって形成される部分）と、下側部分（下面形成部材９６及び側壁形成部材９７によって形成される部分）が、複数の上下連結部材９８に連結されて形成されている。
そして、長手方向における両端部それぞれの近傍に、立板状部材である上下連結部材９８が配されている。
【０１０８】
ここで、上下連結部材９８は、上側ユニット体３１の長手方向で所定間隔を開けて並列配置された状態となっている。そして、上側ユニット体３１の長手方向の一端側からみた平面視において、各欠落部（第一欠落部９８ａ、第二欠落部９８ｂ、第三欠落部９８ｃ）が重なるように配置されている。
したがって、第二欠落部９８ｂもまた、上側ユニット体３１の長手方向で所定間隔を開けて並列配置されており、この複数の第二欠落部９８ｂによって配線部材を挿通するための配線挿通部が形成されている。
つまり、第二欠落部９８ｂは、２つの上下連結部材９８の間に形成される空間同士、又は、同空間と外部を連通する孔となるものであり、上側ユニット体３１の長手方向で連続する配線挿通のための領域の一部を形成する。
【０１０９】
天板係合凹部１００は、上側ユニット体３１の長手方向全域に亘って延びる窪み部分であり、略直方体状の空間を形成するように下方に向かって窪んだ部分となっている。
詳細には、天板係合凹部１００は、上側部分、奥側部分、長手方向の両端部分がそれぞれ開放された窪み部分である。
【０１１０】
上側調整部材３２は、図１２で示されるように、上側ユニット体３１と略同形の部材であり、同長手方向の長さＬ２が上側ユニット体３１とは異なる（上側ユニット体３１より短い）立体構造物である。
【０１１１】
詳細には、上側調整部材３２もまた、上面形成部材９５と、下面形成部材９６と、側壁形成部材９７と、複数の上下連結部材９８と、補助補強板部材９９を有する。そして、上面形成部材９５、下面形成部材９６と、側壁形成部材９７、補助補強板部材９９の長さが上側ユニット体３１と異なっている。より詳細には、これらの部分が上側ユニット体３１に比べて短寸の部材（遊技機島１の長手方向の長さが短い部材）となっている。
なお、本実施形態では、上下連結部材９８の数が、上側ユニット体３１における上下連結部材９８の数と異なっている。詳細には、この上下連結部材９８の数が上側ユニット体３１と比べて少なくなっている。
【０１１２】
つまり、上側調整部材３２は、上側ユニット体３１の長手方向の長さ（上記長さＬ１）を短くし、小型化したような形状の立体構造物である。
この上側調整部材３２は、上側ユニット体３１と同様の手順で構築可能であり、また、上側ユニット体３１の一部を切り落とすことで構築可能となっている。この上側調整部材３２の詳細な構造については、上記した上側ユニット体３１と同様であるので、重複する詳細な説明を省略する。
【０１１３】
なお、詳しくは後述するが、本実施形態の遊技機島１では、この上側調整部材３２を遊技機島１の長手方向の両端部にそれぞれ配している（図２参照）。このように、上側調整部材３２を遊技機島１の長手方向の端部側に配する場合、図１２で示されるように、上側調整部材３２の長手方向における両端それぞれに位置する上下連結部材９８の一方を中央側に寄った位置に形成してもよい。
【０１１４】
具体的に説明すると、上側調整部材３２を遊技機島１の長手方向における片側端部側に配する場合、上側調整部材３２の配置時に最も同片側端部側に位置する上下連結部材９８を中央側に離れた位置に形成してもよい。
すなわち、上下連結部材９８の長手方向における一方端であり、遊技機島１の長手方向における片側端部から、最も近接する位置にある上下連結部材９８までの距離を、他方端から最も近接する位置にある上下連結部材９８までの距離よりも長くしてもよい。
【０１１５】
下側ユニット体３３は、図１３で示されるように、膳板形成部材１１５と、下面形成部材１１６（下側下板部）と、内側壁形成部材１１７と、下外壁形成部材１１８と、上外壁形成部材１１９と、上下連結部材１２１を有する立体構造物である。
この下側ユニット体３３もまた、長手方向の長さＬ３が予め定められた所定長さとなるように形成されるものであり、本実施形態では、長手方向の長さＬ３が１８００ｍｍとなるように形成している。すなわち、上記した上側ユニット体３１と長手方向の長さが同一の長さとなっている。
【０１１６】
膳板形成部材１１５は、全体形状が略長方形平板状となる長尺部材であり、下側ユニット体３３の上端部分を形成する部材である。
【０１１７】
下面形成部材１１６は、全体形状が略長方形平板状の長尺部材であり、短手方向の長さが膳板形成部材１１５よりも短い部材である。
この下面形成部材１１６は、膳板形成部材１１５のうち、遊技機島１の短手方向で内側に位置する部分の下方側に離れた位置に配されている。
【０１１８】
内側壁形成部材１１７は、横長の略長方形立板状の薄板部材であり、下側ユニット体３３の内側面を形成する部材である。この内側壁形成部材１１７は、膳板形成部材１１５と下面形成部材１１６の間に形成される空間の内側端部を閉塞するように設けられている。
すなわち、上端側の部分が膳板形成部材１１５の内側面と接触し、上面が膳板形成部材１１５の上面と隣接する位置に配されて一連の面を形成している。また、下端側の部分が下面形成部材１１６の内側面と接触し、下面が下面形成部材１１６の下面と隣接する位置に配されて一連の面を形成している。
【０１１９】
下外壁形成部材１１８は、横長の略長方形立板状の部材である。詳細には、内側面の一部が下面形成部材１１６の外側面と接触した状態で、下面形成部材１１６に対して一体に固定される部材となっている。
ここで、下外壁形成部材１１８は、上端部分が下面形成部材１１６の上面よりやや高位置に位置しており、下端部分が下面形成部材１１６の下面よりやや底位置に位置している。
また、遊技機島１の短手方向における内側面（図１３（ｂ）の左側面）が、上下連結部材１２１の外側端面から外側に離れた位置に形成されている。すなわち、下外壁形成部材１１８の上側部分と、上下連結部材１２１の下側部分の間には隙間部分１２３が形成されている。
【０１２０】
上外壁形成部材１１９もまた、横長の略長方形立板状の部材である。詳細には、上外壁形成部材１１９は、上面が膳板形成部材１１５の下面と接触した状態で、複数の上下連結部材１２１に対して一体に固定される部材となっている。
すなわち、上外壁形成部材１１９は、その内側面（遊技機島１の短手方向における内側面）が、複数の上下連結部材１２１のそれぞれの外側面と接触した状態となっている。そして、これらに対して固定されている。
【０１２１】
上下連結部材１２１は、縦長の略長方形立板状となる部材であり、詳細には、厚さ方向が下側ユニット体３３の長手方向と同方向となる部材である。
この上下連結部材１２１は、上面が膳板形成部材１１５の下面と接触し、下面が下面形成部材１１６の上面と接触した状態でこれらと一体に固定されている。
【０１２２】
ここで、上下連結部材１２１には、高さ方向の中央側であって遊技機島１の短手方向（内外方向）で外側に位置する縁端部分を欠落させて形成される欠落部１２１ａが設けられている。この欠落部１２１ａは、上下連結部材１２１の長手方向の一端側からみた平面視形状が略四角形状であり、縁端部分から延びる欠落部分となっている。
【０１２３】
以上のように、下側ユニット体３３では、上側に位置する膳板形成部材１１５のうち、内側部分（遊技機島１の短手方向で内側）の下方側に、全体として略直方体状となる小型の箱型構造物が形成されている。
すなわち、この箱型構造物の外側壁面は、上下方向で離れた位置にそれぞれ配される下外壁形成部材１１８と上外壁形成部材１１９によって形成されている。詳細には、下外壁形成部材１１８と上外壁形成部材１１９は、それぞれの外側面が略同一平面状に位置するように配されている。
また、箱型構造物の長手方向における両側面は、同長手方向両端にそれぞれ位置する２つの上下連結部材１２１によって形成されており、内側壁面は内側壁形成部材１１７によって形成されている。
そして、膳板形成部材１１５の外側部分（遊技機島１の短手方向で外側）は、この箱型構造物の上端部分から外側突出する部分となっている。
【０１２４】
下側調整部材３４は、図１４、図１５で示されるように、いずれも下側ユニット体３３と略同形の部材であり、同長手方向の長さＬ４，Ｌ５が下側ユニット体３３とは異なる（下側ユニット体３３より短い）立体構造物である。
【０１２５】
詳細には、下側調整部材３４もまた、膳板形成部材１１５と、下面形成部材１１６と、内側壁形成部材１１７と、下外壁形成部材１１８と、上外壁形成部材１１９と、上下連結部材１２１を有する。そして、膳板形成部材１１５と、下面形成部材１１６と、内側壁形成部材１１７と、下外壁形成部材１１８と、上外壁形成部材１１９の長さが下側ユニット体３３と異なっている。より詳細には、これらの部分が下側ユニット体３３に比べて短寸の部材（遊技機島１の長手方向の長さが短い部材）となっている。
なお、本実施形態では、上下連結部材１２１の数が、下側ユニット体３３における上下連結部材１２１の数と異なっている。詳細には、この上下連結部材１２１の数が下側ユニット体３３と比べて少なくなっている。
【０１２６】
つまり、下側調整部材３４は、下側ユニット体３３の長手方向の長さ（上記長さＬ３）を短くし、小型化したような形状の立体構造物である。
この下側調整部材３４は、下側ユニット体３３と同様の手順で構築可能であり、また、下側ユニット体３３の一部を切り落とすことで構築可能となっている。この下側調整部材３４の詳細な構造については、上記した下側ユニット体３３と同様であるので、重複する詳細な説明を省略する。
【０１２７】
なお、詳しくは後述するが、本実施形態の遊技機島１では、２つの下側調整部材３４のうち、一方の下側調整部材３４ａ（図１４参照）を遊技機島１の長手方向の片側端部に配している（図２参照）。そして、他方の下側調整部材３４ｂ（図１５参照）を遊技機島１の長手方向の他方側端部に配している（図２参照）。
このように、下側調整部材３４を遊技機島１の長手方向の端部側に配する場合、上記した上側調整部材３２と同様に、下側調整部材３４の長手方向の両端にそれぞれ位置する上下連結部材１２１の一方を中央側に離れた位置に形成してもよい。
【０１２８】
すなわち、上記した上側調整部材３２と同様に、下側調整部材３４を遊技機島１の長手方向における片側端部側に配する場合、下側調整部材３４の配置時に最も同片側端部側に位置する上下連結部材１２１を中央側に離れた位置に形成してもよい。
すなわち、上下連結部材１２１の長手方向における一方端であり、遊技機島１の長手方向における片側端部から、最も近接する位置にある上下連結部材１２１までの距離を、他方端から最も近接する位置にある上下連結部材１２１までの距離よりも長くしてもよい。
【０１２９】
続いて、上記した本実施形態の遊技機島１の製造方法について、詳細に説明する。また、以下の説明では、遊技機島１を構築する場所（設置場所）を遊技場のフロアとした場合について説明する。
【０１３０】
まず、後述する各工程に先立って、上記した上側ユニット体３１、下側ユニット体３３を形成する工程であるユニット体形成工程を実施する。
このユニット体形成工程は、遊技場内（遊技機島１の設置場所がある建屋内）での施工作業の開始前に実施可能であり、遊技場とは異なる場所（別の建屋内や屋外であり、例えば別の生産拠点）で実施できる。
【０１３１】
次に、構築する遊技機島１に属する支柱部材３０の配置位置を決定する配置位置決定工程が実施される。この工程は、各種情報に基づいて支柱部材３０の配置位置を決定する工程であり、この各種情報としては、遊技機島１を構築する場所、その周辺の状況、構築する遊技機島１の大きさがある。また、その他、遊技機島１に設置する遊技機２の種類や設置位置、台間機器２０の種類や設置位置、遊技機島１の内部に配される各種機器（例えば、後述する研磨機ユニット１４８）の位置等がある。
【０１３２】
続いて、支柱部材３０を固定するための工程である支持部材配置工程を実施する。この支持部材配置工程は、遊技場内で実施される工程であり、ベース部材固定工程と、支柱取付工程が含まれる。
【０１３３】
ベース部材固定工程は、図１６で示されるように、支柱部材３０を支持ずるベース部材１４０を遊技場床面にアンカーボルト等によって固定する工程である。この工程により、上記した配置位置決定工程で決定されたそれぞれの支柱部材３０の配置位置にベース部材１４０が固定される。
【０１３４】
このベース部材固定工程では、形成する遊技機島１の長手方向に沿って間隔を開けて並列するように、複数のベース部材１４０を固定していく。
なお、隣接配置される２つのベース部材１４０の間隔は、一定であってもよく、不定であってもよい。本実施形態では、隣接配置される２つのベース部材１４０の間隔が不定となっている。
詳細に説明すると、複数のベース部材１４０の列では、中央側が位置にする２つのベース部材１４０の間隔長さが比較的長くなっており、研磨機ユニット１４８（詳しくは後述する）を配置するための領域を形成している。
これに加え、本実施形態では、この領域よりも遊技機島１の長手方向（ベース部材１４０の並列方向）の端部側となる位置で並列した複数のベース部材１４０が、不定間隔で配置されている。つまり、中央側の領域よりも遊技機島１の長手方向端部よりに配されるベース部材１４０の列では、所定個所での２つのベース部材１４０の間隔長さと、他の個所での２つのベース部材１４０の間隔長さが異なっている。
つまり、本実施形態では、研磨機ユニット１４８を配置する領域から離れた位置で並列する複数のベース部材１４０の間隔長さが不定間隔となっている。
【０１３５】
ここで、ベース部材１４０は、図１６で示されるように、断面形状が略Ｌ字状で延びる長尺体となっている。すなわち、略長方形平板状の下板部１４０ａと、下板部１４０ａの短手方向における縁端部分から上方に突出する立板状の取付板部１４０ｂを有し、これらが一体となった金属製の部材である。
そして、取付板部１４０ｂには、取付板部１４０ｂを厚さ方向に貫通する取付用長孔１４１が形成されている。この取付用長孔１４１は、ベース部材１４０の長手方向（遊技機島１の短手方向）で離れた位置にそれぞれ形成されており、いずれも上下方向に延びる長孔となっている。
【０１３６】
また、取付板部１４０ｂの厚さ方向における両端面の一方であり、下板部１４０ａの下面と連続する面が柱接触面１４２となる。この柱接触面１４２は、ベース部材１４０に支柱部材３０を固定する際、支柱部材３０の一部が接触する面となっている。
なお、並列配置される複数のベース部材１４０の一部は、この柱接触面１４２が並列方向における一端側を向くように固定され、他の一部は、この柱接触面１４２が他端側を向くように固定されている。
【０１３７】
支柱取付工程は、ベース部材固定工程に続いて実施される工程であり、それぞれのベース部材１４０に支柱部材３０を固定する工程である。
すなわち、図１７で示されるように、ベース部材１４０の取付板部１４０ｂと、支柱部材３０の下端側に位置するアンカー連結部５８の立板部５８ｂとを重ね合わせ、これらを締結要素によって一体に固定する。
【０１３８】
詳細には、立板部５８ｂをベース部材１４０の柱接触面１４２に接触させた状態とし、立板部５８ｂの取り付け用の貫通孔と、取付板部１４０ｂの取付用長孔１４１とを重ね合わせ、これらに締結要素を挿通する。
ここで、上記したように、取付用長孔１４１は縦長の長孔となっており、立板部５８ｂの貫通孔と重ね合わせる位置を可変させることで、支柱部材３０の取り付け高さを変更できる。
すなわち、立板部５８ｂの取り付け用の貫通孔と、取付板部１４０ｂの取付用長孔１４１が高さ調整手段として機能することで、支柱部材３０の取り付け位置の高さ調整が可能となっている。
【０１３９】
なお、並列配置された複数のベース部材１４０のうち、並列方向における両端にそれぞれ位置する２つのベース部材１４０には、第一支柱部材５０を固定し、他のベース部材１４０には、第二支柱部材５１を固定する（図１８参照）。
その結果、図１８で示されるように、それぞれの支柱部材３０が間隔を空けて並べられた状態となり、ベース部材１４０を介して遊技場の床面に固定された状態となる。すなわち、本実施形態の遊技機島１は、支柱部材３０からの荷重を床面で受ける構造となっている。
【０１４０】
続いて、研磨機ユニット取付工程を実施する。
この研磨機ユニット取付工程は、間隔を空けて並べられた支柱部材３０のうち、並列方向で中央側に位置する２つの支柱部材３０の間となる床面（図１８におけるαで示される部分）に、研磨機ユニット１４８（図１９参照）を取り付ける工程である。
【０１４１】
研磨機ユニット１４８は、図１９で示されるように、研磨揚送装置１５０（揚送装置）と、研磨揚送装置１５０を内蔵する本体外郭部１５１（土台部分）と、柱状部材１５２（柱状体）と、揚送流路（図示しない）とを備えた構造となっている。
【０１４２】
研磨揚送装置１５０は、公知のそれと同様であり、外部から導入された遊技球を布部材で磨く動作を実施する研磨装置と、磨かれた遊技球を上方へ揚送する揚送装置とが一体に形成された（又はそれぞれ別に形成されて連結された）装置である。
【０１４３】
本体外郭部１５１は、内側に研磨揚送装置１５０の少なくとも一部を収納するため空間を形成する箱状又は枠状の部材であり、本実施形態では、一部の側壁部分が欠落した略直方体状の箱状部材となっている。また、本実施形態では、研磨揚送装置１５０の全体が収納されている。
すなわち、本実施形態の本体外郭部１５１は、上板部材と、下板部材と、遊技機島１の長手方向で離間対向する２つの側壁部材を有する構造となっており、内部にこれらによって囲まれた空間が形成されている。そして、遊技機島１の短手方向で両端に位置する部分が開放されており、内外を連通する状態となっている。この本体外郭部１５１が、遊技場の床面に固定されることで、研磨機ユニット１４８が取り付けられた状態となる。
【０１４４】
柱状部材１５２は、本体外郭部１５１の上側部分（上板部材）に固定され、上下方向に柱状の長尺部材となっている。
この柱状部材１５２の一部には、内部に空間が形成されており、この空間が揚送流路（図示しない）を配置するための流路収容空間となっている。すなわち、柱状部材１５２の一部であって空間と隣接する位置にある板部材が、揚送流路の水平方向への移動を規制する規制部として機能する。
なお、揚送流路は、遊技球が上方に向かって搬送するための流路であり、研磨揚送装置１５０と連結されている。この揚送流路は、柱状部材１５２に沿って延びる流路形成部材によって形成されている。
【０１４５】
続いて、島上タンク形成工程を実施する。
島上タンク形成工程は、柱状部材１５２の上端部分に島上タンク１５５（図２等参照）を固定し、島上タンク１５５に揚送流路の上端部分を連結させる工程である。すなわち、柱状部材１５２は、島上タンク１５５を支持するための柱として機能する部材である。この島上タンク１５５は、公知のそれと同様であり、揚送流路の内部を通過した遊技球が内部に導入され、導入された遊技球を一時的に貯留可能な箱状部材となっている。
【０１４６】
続いて、下側保持部形成工程を実施する。
本実施形態の下側保持部形成工程は、図２０で示されるように、下側連結構造体３８を形成する下側構造体形成工程（構造体形成工程）と、下側連結構造体３８を複数の支柱部材３０に固定する下側構造体固定工程を実施する工程である。
ここで、下側構造体形成工程では、下側連結構造体３８の長さを調整する調整工程が実施される。
この調整工程は、複数の下側ユニット体３３を並べた並列方向の合計長さが下側連結構造体３８の長手方向の長さと同一（又は略同一）とならない場合、下側連結構造体３８の一部を下側調整部材３４によって形成する工程である。
つまり、調整工程では、複数の下側ユニット体３３を並べた並列方向の合計長さが下側連結構造体３８の長手方向の長さと同一（又は略同一）となる場合には、調整部材（下側調整部材３４）による長さ調整を実施しない。対して、これらの長さが略同一（又は略同一）とならない場合、下側連結構造体３８の一部を下側調整部材３４によって形成し、下側連結構造体３８の長さ調整を実施する。
【０１４７】
具体的に説明すると、本実施形態では、調整工程において使用する下側調整部材３４を下側構造体形成工程に先立って事前に作製している。詳細には、配置位置決定工程の実施後であり、支持部材配置工程の実施前に下側調整部材３４を作製している。言い換えると、遊技場での作業開始前に下側調整部材３４を遊技場外で事前作製している。
【０１４８】
つまり、配置位置決定工程の後、複数の下側ユニット体３３を並べた並列方向の合計長さが下側連結構造体３８の長手方向の長さと同一の長さとなるか否かを判別する判別工程を実施する。そして、判別工程の結果、この合計長さが下側連結構造体３８の長さとならない場合、調整工程で使用する長さ調整のための部材（下側調整部材３４）を事前作製する。すなわち、下側調整部材３４の大きさ（遊技機島１の長手方向の長さ）は、配置位置決定工程に伴って決定される。
【０１４９】
つまり、下側構造体形成工程では、調整工程で長さ調整が実施されない場合、複数の下側ユニット体３３を連結して下側連結構造体３８を形成する。対して、調整工程で長さ調整が実施される場合、下側連結構造体３８の一部を下側ユニット体３３によって形成し、他部を他部材（本実施形態では下側調整部材３４）によって形成する。
【０１５０】
複数の下側ユニット体３３によって下側連結構造体３８を形成する場合（長さ調整をしない場合）、下側構造体形成工程では、並列した際に隣り合う２つの下側ユニット体３３を連結させていくことで、下側連結構造体３８を形成する。この場合、それぞれの下側ユニット体３３の遊技機島１の長手方向における長さのｎ個分（ｎは整数であり、下側連結構造体３８に含まれる下側ユニット体３３の数）が、下側連結構造体３８の同方向の長さと同一又は略同一となる。
【０１５１】
対して、少なくとも一つの下側ユニット体３３と、少なくとも一つの下側調整部材３４によって下側連結構造体３８を形成する場合は、下側ユニット体３３、下側調整部材３４から選択される隣り合う二部材を連結させていく。
【０１５２】
詳細に説明すると、下側連結構造体３８を形成する際、下側連結構造体３８を構成する部材である下側ユニット体３３、下側調整部材３４のうちで隣接配置される二部材を連結する。すなわち、二部材の一方において、下側連結構造体３８の長手方向における片側端部側に位置する上下連結部材１２１と、二部材の他方において、同長手方向における他方端部側に位置する上下連結部材１２１とを重ね合わせた状態とする。そして、これら２つの上下連結部材１２１を適宜な固定手段で一体に固定する。なお、本実施形態では、これらに締結要素を挿通することで、一体に固定している。
なお、このとき、２つの上下連結部材１２１は、互いに接触するように重ねてもよく、２つの上下連結部材１２１の間に僅かに間隔が空いた状態としてもよい。すなわち、下側連結構造体３８の長手方向で重なった状態であればよい。
【０１５３】
すなわち、下側連結構造体３８は、下側ユニット体３３、下側調整部材３４から選択される部材が遊技機島１の長手方向に沿って並列配置される。
なお、本実施形態では、図２１で示されるように、下側連結構造体３８の長手方向における両端部分のそれぞれを下側調整部材３４が形成しており、その間に位置する部分を下側ユニット体３３によって形成している。
【０１５４】
下側構造体固定工程では、下側連結構造体３８を複数の支柱部材３０に固定する際、下側連結構造体３８の長手方向における片側端部側に位置する一部分と、他方端部側に位置する他の一部分のそれぞれを別の第一支柱部材５０に固定している。そして、下側連結構造体３８の中央側の複数個所をそれぞれ別の第二支柱部材５１に固定している。
【０１５５】
具体的には、下側連結構造体３８の一部を第一支柱部材５０に固定する際、下側連結構造体３８における一の上下連結部材１２１の側面と、第一支柱部材５０における固定板部７６を重ね合わせた状態（遊技機島１の長手方向で重なった状態）とする（図２等参照）。その上で、これらに締結要素を挿通して一体に固定された状態とする。
【０１５６】
対して、下側連結構造体３８の一部を第二支柱部材５１に固定するとき、図２２で示されるように、下面形成部材１１６の下面の一部を２つの載置板部９１ｃの上に載置した状態とする。さらに、図２２（ｂ）で示されるように、内側壁形成部材１１７の内側面（遊技機島１の短手方向における内側面）に添板形成部９０ａを内側から接触させた状態とする。
【０１５７】
つまり、略Ｌ字状に連続する下面形成部材１１６の下面の一部と、内側壁形成部材１１７の内側面の一部のそれぞれに載置板部９１ｃと添板形成部９０ａを添え当てた状態とする。詳細には、下面形成部材１１６の下面の一部であって、内側（遊技機島１の短手方向における内側）よりの部分を載置板部９１ｃに載置した状態とする。そして、内側壁形成部材１１７の内側面の一部であって、下端側から上端側に至るまでの部分を添板形成部９０ａの外側面と接触した状態とする。
【０１５８】
そして、遊技機島１の短手方向で重なる内側壁形成部材１１７と添板形成部９０ａに対し、同短手方向内側から締結要素を挿通して、これらを一体に固定する。すなわち、この締結要素の挿通方向は、水平方向であり、遊技機島１の短手方向と同方向である。
【０１５９】
本実施形態では、膳板形成部材１１５と内側壁形成部材１１７が重なる部分と、下面形成部材１１６と内側壁形成部材１１７が重なる部分では、締結要素が内側壁形成部材１１７を貫通して、膳板形成部材１１５、下面形成部材１１６のそれぞれに挿入されている。
このとき、膳板形成部材１１５、下面形成部材１１６は、遊技機島１の短手方向における内側端面から締結要素が挿入されることなる。このような構造とすると、内側壁形成部材１１７を必要以上に厚くすることなく、締結要素を深く挿入できるので、強固な取り付けが可能となる。
【０１６０】
さらに、上下方向で重なる下面形成部材１１６と載置板部９１ｃに対し、下方側から締結要素を挿通して、これらを一体に固定する。すなわち、この締結要素の挿通方向は上下方向である。
以上のことから、下側連結構造体３８が複数の支柱部材３０に対して固定された状態となり、下側連結構造体３８の垂直荷重を支柱部材３０が支持した状態となる。
ここで、この下側連結構造体３８は、遊技機島１の短手方向における一方端側と他方端側にそれぞれ取り付けられ、２つの下側連結構造体３８が同短手方向で対向した状態となる（図２参照）。なお、もう一方の取り付け手順については、重複する説明を省略する。
このように、２つの下側連結構造体３８が取り付けられると、遊技機島１における下部側壁部１６（図１参照）の基礎部分が形成される。
【０１６１】
ところで、上記のように下側連結構造体３８を第二支柱部材５１に固定するとき、下側連結構造体３８を上方から載置板部９１ｃに近接させて接触させることで、載置板部９１ｃが下側連結構造体３８を固定位置に配するための位置決め部材として機能する。
すなわち、載置板部９１ｃは、下側連結構造体３８の一部を載置する載置台部として機能するだけでなく、位置決め部材としても機能する。
そして、載置板部９１ｃの上方であって添板形成部９０ａの外側に位置する空間が、下側連結構造体３８（下側ユニット体３３）の一部を配置するユニット配置空間となる。
【０１６２】
ここで、図２１で示されるように、下側連結構造体３８を第二支柱部材５１に固定する際、下側連結構造体３８に属するそれぞれの下側ユニット体３３は、第二支柱部材５１と接触する接触位置をそれぞれ異なる位置とすることができる。
つまり、上記したように、下側ユニット体３３は、内側（遊技機島１の短手方向における内側）の一部を第二支柱部材５１に接触させ、第二支柱部材５１に対して固定する。そして、この下側ユニット体３３は、上記した接触位置から遊技機島１の長手方向でずれた様々な位置を、固定時に第二支柱部材５１と接触させる接触位置とすることができる。また、このことは、下側調整部材３４においても同様である。
【０１６３】
具体的に説明すると、上記したように、下側連結構造体３８は、下面形成部材１１６の下面の一部分を載置板部９１ｃに載置し、これらを締結要素で一体に固定する。このとき、下面形成部材１１６の下面は、内側部分（遊技機島１の短手方向で内側部分）の全域のうち、いずれの部分でも載置板部９１ｃに載置させる（接触させる）部分とすることができる。
同様に、内側壁形成部材１１７の内側面の一部を連結添板部９０に接触させ、これらを締結要素で一体に固定するが、内側壁形成部材１１７の内側面のいずれの部分でも連結添板部９０を接触させる部分とすることができる。
【０１６４】
つまり、下面形成部材１１６の下面のうち、上下方向で上下連結部材１２１と重なる重なり部分（重畳領域）と、上下連結部材１２１と重ならない非重なり部分（非重畳領域）のどちらでも第二支柱部材５１との接触位置とすることができる。
同様に、内側壁形成部材１１７の内側面のうち、遊技機島１の短手方向で上下連結部材１２１と重なる重なり部分（重畳領域）と、上下連結部材１２１と重ならない非重なり部分（非重畳領域）のどちらでも第二支柱部材５１との接触位置とすることができる。
本実施形態では、下面形成部材１１６と内側壁形成部材１１７の重なり部分の一部を一の第二支柱部材５１との接触位置としており、これらの非重なり部分の一部を他の第二支柱部材５１との接触位置としている。
【０１６５】
このため、下側連結構造体３８の全体長さが施工中に突然変更され、下側調整部材３４を短く（又は長く）しても、下側連結構造体３８を複数の支柱部材３０に取り付けできる。また、下側連結構造体３８に属する下側ユニット体３３、下側調整部材３４の並び順が変更された場合においても、下側連結構造体３８を複数の支柱部材３０に取り付けできる。すなわち、下側連結構造体３８の自由度の高い組み立て及び取り付けが可能となる。
【０１６６】
ここで、下側連結構造体３８は、上記したように、下側ユニット体３３と下側調整部材３４を連結させて形成されている。このため、各部において、異なる２つの下側ユニット体３３や、下側ユニット体３３と下側調整部材３４とが隣接配置された状態となる。つまり、下側ユニット体３３、下側調整部材３４からそれぞれ選択される一部材及び他の一部材が隣接配置された状態となる。
したがって、図２１で示されるように、下側連結構造体３８には、これら一部材及び他の一部材の境界部分である部材境界部１６０（境界部）が複数形成される。詳細には、複数の部材境界部１６０は、下側連結構造体３８の長手方向における中途部分にそれぞれ形成されており、同長手方向でそれぞれ間隔を開けて並列している。
【０１６７】
すなわち、部材境界部１６０は、隣接する二部材の端部同士が接触する部分、又は、僅かに間隔を空けて対向する部分である。すなわち、二部材の端部同士が面接触している部分、又は、一方の部材の端部から他方の部材の端部までの間となる部分である。
なお、ここでいう「二部材の端部同士が面接触している部分」とは、具体的には、二部材のそれぞれに属する各部材（膳板形成部材１１５、下面形成部材１１６、内側壁形成部材１１７、下外壁形成部材１１８、上外壁形成部材１１９、又は上下連結部材１２１）から選択される少なくとも一つの部材の端部同士が面接触している部分である。
【０１６８】
そして、この部材境界部１６０は、下側連結構造体３８の長手方向（遊技機島１の長手方向）において、いずれも支柱部材３０から離れた位置にある。言い換えると、遊技機島１の短手方向を視線方向とした平面視において、支柱部材３０と重ならない位置に形成される。
【０１６９】
次に、下側内部部材取付工程を実施する。
下側内部部材取付工程は、遊技機島１の下側内部に配する部材を取り付ける工程であり、具体的には、所謂アウトレールや貯留タンクを取り付ける工程である。
なお、アウトレールは、遊技機２から排出された遊技球を研磨揚送装置１５０に導入する遊技球回収用の流路を形成する部材であり、遊技球の流れ方向における下流端側の部分が研磨揚送装置１５０に連結される部材である。すなわち、遊技機島１の長手方向に沿って延びる流路形成部材となっている。
また、貯留タンクは、遊技球を一時的に貯留するための部材であり、アウトレールの上流端側と連結する位置や、アウトレールの中途部に配設される部材である。
【０１７０】
続いて、上側保持部形成工程を実施する。
本実施形態の上側保持部形成工程は、図２３で示されるように、上側連結構造体３７を形成する上側構造体形成工程（構造体形成工程）と、上側連結構造体３７を複数の支柱部材３０に固定する上側構造体固定工程を実施する工程である。
ここで、上側構造体形成工程でもまた、上側連結構造体３７の長さを調整する調整工程が実施される。
すなわち、複数の上側ユニット体３１を並べた並列方向の合計長さが上側連結構造体３７の長手方向の長さと同一（又は略同一）とならない場合、上側連結構造体３７の一部を上側調整部材３２によって形成する工程である。
つまり、この調整工程においても、複数の上側ユニット体３１を並べた並列方向の合計長さが上側連結構造体３７の長手方向の長さと同一（又は略同一）となる場合、調整部材（上側調整部材３２）による長さ調整を実施しない。対して、これらの長さが略同一（又は略同一）とならない場合、上側連結構造体３７の一部を上側調整部材３２によって形成し、上側連結構造体３７の長さ調整を実施する。
【０１７１】
ここで、本実施形態では、この調整工程において使用する上側調整部材３２もまた、上側構造体形成工程に先立って事前に作製している。詳細には、上記と同様に、配置位置決定工程の実施後であり、支持部材配置工程の実施前に上側調整部材３２を作製している。言い換えると、遊技場での作業開始前に上側調整部材３２を遊技場外で事前作製している。
【０１７２】
つまり、配置位置決定工程の後、複数の上側ユニット体３１を並べた並列方向の合計長さが上側連結構造体３７の長手方向の長さと同一の長さとなるか否かを判別する判別工程を実施する。そして、判別工程の結果、この合計長さが上側連結構造体３７の長さとならない場合、調整工程で使用する長さ調整のための部材（上側調整部材３２）を事前作製する。すなわち、上側調整部材３２の大きさ（遊技機島１の長手方向の長さ）は、配置位置決定工程に伴って決定される。
【０１７３】
つまり、上側構造体形成工程もまた、調整工程で長さ調整が実施されない場合、複数の上側ユニット体３１を連結して上側連結構造体３７を形成する。対して、調整工程で長さ調整が実施される場合、上側連結構造体３７の一部を上側ユニット体３１によって形成し、他部を他部材（本実施形態では上側調整部材３２）によって形成する。
【０１７４】
複数の上側ユニット体３１によって上側連結構造体３７を形成する場合（長さ調整をしない場合）、上側構造体形成工程では、並列した際に隣り合う２つの上側ユニット体３１を連結させていくことで、上側連結構造体３７を形成する。この場合、それぞれの上側ユニット体３１の遊技機島１の長手方向における長さのｎ個分（ｎは整数であり、上側連結構造体３７に含まれる上側ユニット体３１の数）が、上側連結構造体３７の同方向の長さと同一又は略同一となる。
【０１７５】
対して、少なくとも一つの上側ユニット体３１と、少なくとも一つの上側調整部材３２によって上側連結構造体３７を形成する場合（長さ調整をする場合）は、上側ユニット体３１、上側調整部材３２から選択される隣り合う二部材を連結させていく。
【０１７６】
詳細に説明すると、上側連結構造体３７を形成する際には、上記した下側保持部形成工程と同様に、上側連結構造体３７を構成する部材である上側ユニット体３１、上側調整部材３２のうちで隣接配置される二部材を連結する。すなわち、二部材の一方において、上側連結構造体３７の長手方向における片側端部側に位置する上下連結部材９８と、二部材の他方において、同長手方向における他方端部側に位置する上下連結部材９８とを重ね合わせた状態とする。つまり、これら２つの上下連結部材９８が、上側連結構造体３７の長手方向で重なった状態とする。そして、これら２つの上下連結部材９８を適宜な固定手段で一体に固定する。なお、本実施形態では、これらに締結要素を挿通することで、一体に固定している。
【０１７７】
すなわち、上側連結構造体３７もまた、上側ユニット体３１、上側調整部材３２から選択される部材を遊技機島１の長手方向に沿って並列配置し、隣接配置される部材同士を一体に連結させて形成される部材である。
なお、本実施形態では、図２４で示されるように、上側連結構造体３７の長手方向における両端部分のそれぞれを上側調整部材３２が形成しており、その間に位置する部分を上側ユニット体３１によって形成している。
【０１７８】
上側構造体固定工程でもまた、上側連結構造体３７を複数の支柱部材３０に固定する際、上側連結構造体３７の長手方向における両端部分のそれぞれに位置する一部分と他の一部分を、それぞれ別の第一支柱部材５０に固定する。その上で、中央側の複数個所をそれぞれ別の第二支柱部材５１に固定している。
【０１７９】
具体的には、上側連結構造体３７の一部を第一支柱部材５０に固定するとき、上側連結構造体３７における一の上下連結部材９８の側面と、第一支柱部材５０における固定板部６９を重ね合わせた状態とする（図２等参照）。その上で、これらに締結要素を挿通して一体に固定された状態とする。つまり、これら２つの立板状部分を遊技機島１の長手方向（上側連結構造体３７の長手方向）で重ね合わせ、これらに締結要素を挿通することで、上側連結構造体３７の長手方向における端部側の一部分が第一支柱部材５０に固定される。
【０１８０】
対して、上側連結構造体３７の一部を第二支柱部材５１に固定するとき、図２５で示されるように、上側連結構造体３７の上側部分を連結体部８５及び第一固定片部８６に対して固定する。そして、下側部分を連結体部８５及び第二固定片部８７に対して固定する。
【０１８１】
具体的には、第二支柱部材５１は、図２５で示されるように、本体板部８５ａの外側面と、連結板部８６ｂにおける立板状部分の内側面との間に下方に窪んだ係合凹部１６５が形成されている。そして、補助補強板部材９９の下端側部分をこの係合凹部１６５に挿入し、これらを係合させた状態とする。つまり、補助補強板部材９９のうちで上面形成部材９５の下面よりも下方側へ突出する突出部分と、係合凹部１６５とが対となる係合部として機能することで、上側連結構造体３７の上側部分が第二支柱部材５１の一部と係合した状態となる。
【０１８２】
このとき、平板状部８６ｃの上面と上面形成部材９５の下面とが接触した状態となる。さらに、補助補強板部材９９の下端部分における外側面及び内側面が、係合凹部１６５の離間対向する２面（連結板部８６ｂの立板状部分における内側面と、補助補強板部材９９の下端側部分における外側面）のそれぞれと接触した状態となる。
【０１８３】
さらに、下面形成部材９６の内側端面と、下側取付片部８５ｃの立板状部分における外側面とを接触させると共に、下面形成部材９６の上面と、第二固定片部８７の平板状部８７ｂの下面を接触させた状態とする。
【０１８４】
そして、本体板部８５ａ、補助補強板部材９９、上面形成部材９５が水平方向で重なる重なり部分に対して、遊技機島１の短手方向内側から締結要素を挿通する。また、下面形成部材９６と、下側取付片部８５ｃの立板状部分とが水平方向で重なる重なり部分に対しても、遊技機島１の短手方向内側から締結要素を挿通する。すなわち、これらの締結要素の挿通方向は、水平方向であり、遊技機島１の短手方向である。
【０１８５】
本実施形態では、補助補強板部材９９を貫通した締結要素の先端部分が、上面形成部材９５に挿入され、下側取付片部８５ｃを貫通した締結要素の先端部分が、下面形成部材９６に挿入される。このとき、上面形成部材９５、下面形成部材９６は、遊技機島１の短手方向における内側端面から締結要素が挿入されることになる。
このような構造とすると、締結要素を深く挿入できるので、強固な取り付けが可能となる。また、下側ユニット体３３の内側壁形成部材１１７（図２２参照）のような背板部材を設けることなく、締結要素を水平方向に挿入できるので部材数を削減する上で、好ましい。
【０１８６】
さらに、上下方向で重なる上面形成部材９５と平板状部８６ｃ、下面形成部材９６と平板状部８７ｂのそれぞれの重なり部分に対し、下方側から締結要素を挿通する。すなわち、挿通方向が上下方向となるように、締結要素を挿通する。
以上のことから、上側連結構造体３７が複数の支柱部材３０に対して固定された状態となり、上側連結構造体３７の垂直荷重を支柱部材３０が支持した状態となる。
【０１８７】
ここで、上側連結構造体３７が複数の支柱部材３０に固定された状態では、上側連結構造体３７の上側部分と下側部分の間（上面形成部材９５と下面形成部材９６の間）に、第一固定片部８６の一部と、第二固定片部８７の一部がそれぞれ位置する。
そして、上側連結構造体３７の上側部分と下側部分の間に形成される空間の上下方向の長さと、第一固定片部８６の上面から第二固定片部８７の下面までの距離（最短長さ）が略同一の長さとなっている。
なお、ここでいう「略同一の長さ」とは、数パーセントの誤差を含むものとし、以下の記載においても同様とする。
【０１８８】
この上側連結構造体３７もまた、遊技機島１の短手方向における一方端側と他方端側にそれぞれ取り付けられ、２つの上側連結構造体３７が同短手方向で対向した状態となる（図２参照）。なお、もう一方の取り付け手順については、重複する説明を省略する。
このように、２つの上側連結構造体３７が取り付けられると、遊技機島１における上部側壁部１５（図１参照）の基礎部分が形成される。
【０１８９】
ここで、上側連結構造体３７もまた、図２４で示されるように、遊技機島１の長手方向でずれた様々な位置を固定時における第二支柱部材５１との接触位置とすることができる。つまり、上側ユニット体３１、上側調整部材３２もまた、遊技機島１の長手方向の位置が異なる様々な部分を、固定時における第二支柱部材５１との接触位置とすることができる。
【０１９０】
具体的に説明すると、上側連結構造体３７の上面形成部材９５、下面形成部材９６は、上下方向で上下連結部材９８と重なる重なり部分（重畳領域）と、上下連結部材９８と重ならない非重なり部分（非重畳領域）を有する。
そして、上面形成部材９５の非重なり部分のいずれの部分であっても、第一固定片部８６との接触部分とすることができる。
同様に、下面形成部材９６の非重なり部分のいずれの部分であっても、第二固定片部８７と接触部分とすることができる。
これらのことから、上側調整部材３２は、遊技機島１の長手方向の位置が異なる様々な部分を第二支柱部材５１との接触位置とすることができる。
【０１９１】
本実施形態では、非重なり部分の一部を第二支柱部材５１との接触位置としており、重なり部分が第二支柱部材５１との接触位置とならない構造とした。
しかしながら、これに限らず、上下連結部材９８の上端側及び下端側それぞれの内側部分（遊技機島１の内側部分）に欠落部を形成し、この欠落部に第一固定片部８６、下面形成部材９６を配置可能な構造としてもよい。この構造によると、上面形成部材９５、下面形成部材９６の内側部分は、長手方向における全域のいずれの部分でも第二支柱部材５１との接触位置とすることが可能となる。
【０１９２】
したがって、上側連結構造体３７もまた、上側連結構造体３７の全体長さや、上側連結構造体３７に属する上側ユニット体３１、上側調整部材３２の並び順が変わっても複数の支柱部材３０への取り付けが可能である。すなわち、上側連結構造体３７もまた、自由度の高い組み立て及び取り付けが可能となる
【０１９３】
ここで、上側連結構造体３７は、上記したように、上側ユニット体３１と上側調整部材３２を連結させて形成されている。つまり、上側連結構造体３７においても、上記した下側連結構造体３８と同様に、各部において、上側ユニット体３１、上側調整部材３２からそれぞれ選択される一部材及び他の一部材が隣接配置される。そして、図２４で示されるように、これら一部材及び他の一部材の境界部分である部材境界部１６３（境界部）が複数形成される。詳細には、複数の部材境界部１６３は、上側連結構造体３７の長手方向における中途部分にそれぞれ形成されており、同長手方向でそれぞれ間隔を開けて並列している。
【０１９４】
この部材境界部１６３もまた、上記した部材境界部１６０と同じく、隣接する二部材の端部同士が接触する部分、又は、僅かに間隔を空けて対向する部分である。
【０１９５】
そして、上側連結構造体３７の部材境界部１６３もまた、上側連結構造体３７の長手方向（遊技機島１の長手方向）において、いずれも支柱部材３０から離れた位置にある。言い換えると、遊技機島１の短手方向を視線方向とした平面視において、支柱部材３０と重ならない位置に形成される。
【０１９６】
なお、本実施形態では、図２４で示されるように、上側連結構造体３７に形成される複数の部材境界部１６３のいずれもが、下側連結構造体３８に形成される複数の部材境界部１６０それぞれと上下方向で重ならない位置に形成される。
【０１９７】
続いて、上側内部部材取付工程を実施する。この上側内部部材取付工程は、遊技機島１の上側内部に配する部材を取り付ける工程である。
具体的には、所謂補給樋や補給シュート、さらには、遊技球を遊技機島１の下側内部まで搬送する搬送用流路を形成する部材（以下、連結流路形成部材とも称す）等のうち、必要な一以上の部材を取り付ける工程となっている。
なお、補給樋とは、島上タンク１５５から排出された遊技球を遊技機２に供給する遊技球供給用の流路を形成する部材である。すなわち、遊技機島１の長手方向に沿って延びる流路形成部材となっている。
また、補給シュートは、補給樋と遊技機２の間に配設される部材であり、補給樋上の遊技媒体を遊技機側に誘導するための分岐部分を形成する部材である。
また、連結流路形成部材は、例えば、補給樋に滞留した球を強制的に下方へ排出するための流路を形成する所謂球抜きホースと称される部材でもよい。また、他の例としては島上タンク１５５から補給樋に供給されなかった遊技球や、補給樋から遊技機２に供給されなかった遊技球を下方側へ排出する流路を形成する部材（所謂オーバーフローレール及びオーバーフローホース）がある。
【０１９８】
次に外壁面形成工程を実施する。この外壁面形成工程は、複数の支柱部材３０に対して上側連結構造体３７、下側連結構造体３８を取り付けて形成される遊技機島１の基礎部分に対し、外壁材（外壁面を形成する部材）を取り付けていく工程である。
この外壁面形成工程には、天板取付工程、妻板取付工程、幕板取付工程、ランプ板取付工程、台間板取付工程、膳板形成工程、腰板取付工程が含まれる。
【０１９９】
天板取付工程は、遊技機島１の天井壁を形成する外壁材である天板部材４０（図１参照）を取り付ける工程である。
具体的には、天板部材４０は、図２６で示されるように、遊技機島１の短手方向（図２６の左右方向）で離れた位置にそれぞれ取り付けられた２つの上側連結構造体３７に取り付けられる平板状部材である。すなわち、天板部材４０は、遊技機島１の短手方向における両端部分のそれぞれが、それぞれ別の上側連結構造体３７に形成された天板係合凹部１００に嵌入され、２つの上側連結構造体３７を跨ぐように取り付けられる。そして、遊技機島１の短手方向における中心側に形成される内部空間を上方から覆った状態となる。そして、天板部材４０の厚さと天板係合凹部１００の深さとが略同一となっており、天板部材４０の上面は、２つの上側連結構造体３７の上面と水平方向に広がりを持つ一連の面を形成する。
【０２００】
妻板取付工程は、長手側壁部１０（図１参照）を形成する外壁材である妻板部材４１を取り付ける工程である。
妻板部材４１は、厚さ方向が遊技機島１の長手方向と同方向となるように取り付けられる立板状部材であり、同長手方向を視線方向とした平面視形状が略四角形状となる部材である。この妻板取付工程では、遊技機島１の長手方向の両端側のそれぞれに対し、１つずつ妻板部材４１を取り付ける。
すなわち、この妻板部材４１は、支柱部材３０、上側連結構造体３７、下側連結構造体３８の少なくとも一つに対して取り付けられる。
【０２０１】
幕板取付工程は、図２７で示されるように、上部側壁部１５（図１参照）の上側部分を形成する外壁材である幕板部材４２を取り付ける工程である。
幕板部材４２は、略四角形立板状の本体板４２ａに外表面形成部材４２ｂが取り付けられて形成される部材である。詳細には、外表面形成部材４２ｂは、本体板４２ａの外側面（遊技機島１の短手方向における外側面）と、上面と、下面と、内側面の上側と、内側面の下側を覆うように取り付けられている。
また、幕板部材４２の内側部分の下端側には、緩衝部材１６６が取り付けられている。この緩衝部材１６６は、幕板部材４２の下側部分と、ランプ板形成部材４３（詳しくは後述する）の直接接触を防止するため、これらの間に介在する部材である。
【０２０２】
この幕板部材４２は、遊技機島１の長手方向に沿って延びる立板状の長尺体であり、上側連結構造体３７に対して回動自在に取り付ける。
詳細には、連結部材である蝶番部材１６７を介して取り付けられており、蝶番部材１６７が、幕板部材４２の内側部分の上側と、上面形成部材９５の上面の間に介在している。
【０２０３】
ランプ板取付工程は、上側連結構造体３７の下側部分に墨出板１６８を取り付ける墨出板取付工程の後に実施される工程である。
【０２０４】
墨出板１６８は、遊技機２の設置位置等、機器配置部１７に配設する部材の配置位置や、同部材の配置作業で基準となる線等を記すための平板状部材であり、遊技機島１の長手方向に沿って延びる長尺体である。
具体的には、墨出板１６８の遊技機島１の短手方向における長さは、同方向における下面形成部材９６、側壁形成部材９７の合計長さと、同一（又は略同一）の長さとなっている。
【０２０５】
墨出板取付工程は、墨出板１６８の上面を下面形成部材９６の下面及び側壁形成部材９７の下面と接触させた状態とし、これらを適宜な固定手段で一体に取り付ける工程である。
【０２０６】
ランプ板取付工程は、上部側壁部１５（図１参照）の下側部分を形成する外壁材であるランプ板形成部材４３を取り付ける工程である。すなわち、公知のデータランプを取り付ける壁面を形成する工程である。
ランプ板形成部材４３は、金属製の板状部材であり、遊技機島１の長手方向に沿って延びる長尺体である（図１参照）。具体的には、図２７（ａ）で示されるように、立板状部分であるランプ板本体部４３ａと、ランプ板本体部４３ａの上側部分を折り曲げて形成される鉤状部４３ｂと、ランプ板本体部４３ａの下側部分を折り曲げて形成される下側添板部４３ｃとが一体となっている。
【０２０７】
鉤状部４３ｂは、ランプ板本体部４３ａの上端から遊技機島１の短手方向内側へ向かって延びる平板状部分と、この平板状部分の内側端部を下方側へ折り曲げて形成される立板状部分を有する。また、下側添板部４３ｃは、ランプ板本体部４３ａの上端から遊技機島１の短手方向内側へ向かって延びる平板状部分である。
【０２０８】
このランプ板形成部材４３は、鉤状部４３ｂが側壁形成部材９７の上端側に係止され、下側添板部４３ｃが墨出板１６８の下面の外側部分に下方から当接した状態で取り付けられる。
つまり、側壁形成部材９７と墨出板１６８の一部分とが、ランプ板の本体部分となる。
【０２０９】
以上のように、上部側壁部１５の外壁面（図１参照）は、幕板部材４２、ランプ板形成部材４３によって形成される。そして、図２７（ｂ）で示されるように、幕板部材４２は、ランプ板形成部材４３よりも遊技機島１の短手方向で外側に位置しており、その下端側周辺部分が、ランプ板形成部材４３の上端側周辺部分と同短手方向で重なった状態となる。
【０２１０】
なお、ランプ板形成部材４３のランプ板本体部４３ａと、側壁形成部材９７の重なり部分のうち、適宜な部分に、これらを遊技機島１の短手方向で貫通するデータランプ取付用孔（ランプ取付部、図示しない）を複数形成する。この複数のデータランプ取付用孔は、遊技機島１の長手方向に沿って間隔を空けて並列するように形成される。
【０２１１】
台間板取付工程は、台間板部材４４（図１参照）を取り付ける工程である。
台間板部材４４は、厚さ方向が遊技機島１の短手方向と同方向となる立板状部材であり、機器配置部１７において機器（遊技機２、台間機器２０等）を配置しない部分の外壁面を形成する外壁材である
すなわち、台間板部材４４は、遊技機２又は台間機器２０と水平方向（遊技機島１の長手方向）で隣接する部分に配され、機器配置部１７の隙間部分を閉塞する。この台間板部材４４は、上側に位置する上部側壁部１５と下側に位置する下部側壁部１６のそれぞれの一部に取り付けられる。
【０２１２】
膳板形成工程は、図２８で示されるように、膳板形成部材１１５の上側に遊技機載置板１７０を固定する載置板固定工程の後に実施される工程である。
【０２１３】
遊技機載置板１７０は、遊技機島１の長手方向に略平板状の長尺部材であり、遊技機２及び台間機器２０を載置するための土台部分として機能する部材である。
遊技機載置板１７０は、外側（遊技機島１の短手方向で外側）の一部が膳板形成部材１１５に載置され、内側の一部が下側横桟部材５５ｃに載置された状態で、膳板形成部材１１５に適宜な固定手段により固定される。
【０２１４】
なお、膳板形成部材１１５の上面は、下側横桟部材５５ｃの上面と同一（又は略同一）の高さとなるように、支柱部材３０に取り付けられている。このことから、遊技機載置板１７０の下面は、膳板形成部材１１５の上面の内側部分と、下側横桟部材５５ｃの上面の外側部分（下側横桟部材５５ｃの長手方向で端部側部分）のそれぞれと密着した状態となる。
【０２１５】
膳板形成工程は、膳板部分２５を形成する外壁材である膳板保護部材１７３を取り付ける工程である。
【０２１６】
膳板保護部材１７３は、膳板形成部材１１５、遊技機載置板１７０に対して取り付けられる金属製の部材である。
具体的には、図２８（ａ）で示されるように、膳板保護部材１７３は、平板状の本体板部１７３ａと、本体板部１７３ａの外側端部と連続する外側掛止部１７３ｂと、内側端部と連続する内側係合部１７３ｃとを有する。
【０２１７】
外側掛止部１７３ｂは、断面形状が略コ字状で遊技機島１の長手方向に延びる部分である。詳細には、本体板部１７３ａに対して上側に凸となる盛り上がり部分を形成する上板部分と、上板部分の外側端部から下方に延びる立板状部分と、立板状部部分の下端から内側へ延びる平板状の下板部分とを有する。
詳細には、上板部分は、遊技機島１の短手方向における外側に向かうにつれて高さが高くなる内側傾斜部と、外側端部に位置する平板状の隆起頂部とが連続して形成されている。
【０２１８】
この膳板保護部材１７３は、本体板部１７３ａを膳板形成部材１１５の上面に載置し、外側掛止部１７３ｂを膳板形成部材１１５の外側端部に掛止し、さらに内側係合部１７３ｃを遊技機載置板１７０と接触させた状態として、膳板形成部材１１５に一体に固定する。
なお、このとき、外側掛止部１７３ｂの上板部分と下板部分の間に形成される空間に、膳板形成部材１１５の外側端部が配される。また、内側係合部１７３ｃの立板状部分の内側面が遊技機載置板１７０の外側面と接触し、内側係合部１７３ｃの平板状部分が遊技機載置板１７０に載置された状態となる。
【０２１９】
膳板保護部材１７３を膳板形成部材１１５に取り付けることで、膳板部分２５（図１参照）が形成される。つまり、膳板形成部材１１５は、膳板の本体部分となり、膳板保護部材１７３は膳板の上側及び外側端部周辺の外表面を形成する（図２８（ｂ）参照）。
【０２２０】
なお、膳板部分２５は、図１で示されるように、機器配置部１７の下方から外側へ張り出す部分であり、平面視した形状が略四角形状となる略平板状部分である。すなわち、膳板部分２５は、遊技者の着座側（図１において短手側壁部１１の外側）へ突出しつつ、遊技機島１の長手方向に沿って延びる部分である。この膳板部分２５は、一般的な膳板と同様に、遊技球を収容する収容箱（図示せず）等を載置する載置棚として機能する。
【０２２１】
腰板取付工程は、膳板部分２５の下方側に位置する壁部分を形成する外壁材である腰板部材４５を取り付ける工程である。
【０２２２】
腰板部材４５は、厚さ方向が遊技機島１の短手方向と同方向となるように取り付けられる立板状部材であり、対となる第一レール部材１７５及び第二レール部材１７６によって下側連結構造体３８に取り付けられる部材である。
【０２２３】
第一レール部材１７５は、図２８、図２９で示されるように、取付板部１７５ａと、係合板部１７５ｂとが一体に形成された構造となっている。
取付板部１７５ａは、遊技機島１の長手方向に延びる立板状部分である。
係合板部１７５ｂは、断面形状が略Ｌ字状で延びる部分であり、取付板部１７５ａの高さ方向中央側から外側へ突出する平板状部分と、この平板状部分の突出端部分を下方に折り曲げて形成される立板状部分を有する。
【０２２４】
すなわち、第一レール部材１７５は、係合板部１７５ｂの立板状部分の内側面と、係合板部１７５ｂの平板状部分の下面と、取付板部１７５ａの外側面によって囲まれた凹部である第一係合部１８１を有する。この第一係合部１８１は、上方に窪み、下方が開口した凹部である。
【０２２５】
第二レール部材１７６は、図２８、図２９で示されるように、取付板部１７６ａと、取付用係合部１７６ｂと、係合板部１７６ｃとが一体に形成された構造となっている。
取付板部１７６ａは、遊技機島１の長手方向に延びる立板状部分である。
取付用係合部１７６ｂは、取付板部１７６ａの上端部分と連続しており、内側へ延びる平板状部分と、この平板状部分の突出端部分を下方に折り曲げて形成される立板状部分を有する。
係合板部１７６ｃは、取付板部１７６ａの外側面の下端側部分から外側へ突出する平板状部分と、この平板状部分の突出端部分と連続する湾曲した立板状部分とを有する構造となっている。具体的には、湾曲した立板状部分の内側面の内で高さ方向における中途部分と平板状部分とが連続している。
【０２２６】
すなわち、第二レール部材１７６には、係合板部１７６ｃの立板状部分の内側面と、係合板部１７６ｃの平板状部分の上面と、取付板部１７６ａの外側面によって囲まれた凹部である第二係合部１８２を有する。この第二係合部１８２は、下方に窪み、上方が開口した凹部であり、第一係合部１８１と対となる係合部となっている。
【０２２７】
そして、腰板取付工程では、まず第一レール部材１７５を上外壁形成部材１１９に対して固定し、第二レール部材１７６を下外壁形成部材１１８に対して固定する。
具体的には、第一レール部材１７５は、取付板部１７５ａの内側面を上外壁形成部材１１９の外側面と接触させた状態とし、これらを適宜な固定手段で一体に固定する。また、第二レール部材１７６は、取付用係合部１７６ｂを下外壁形成部材１１８に掛止させた状態とし、取付板部１７６ａの内側面を下外壁形成部材１１８の外側面と接触させ、これらを適宜な固定手段で一体に固定する。
【０２２８】
このとき、取付用係合部１７６ｂの立板状部分が隙間部分１２３に挿入された状態となる。また、第一レール部材１７５の第一係合部１８１と、第二レール部材１７６の第二係合部１８２とが上下方向で離れた位置にそれぞれ配されており、離間対向した状態となる。
【０２２９】
腰板部材４５は、上側部分を第一係合部１８１と係合させ、下側部分を第二係合部１８２と係合させることで、取り付けられる部材となっている。
ここで、腰板部材４５の下端部分が第二係合部１８２の底部分と接触した状態において、腰板部材４５の上端部分は、第一係合部１８１の底部分（上面）から下方に離れた位置に配される。つまり、第二係合部１８２の底部分から第一係合部１８１の底部分（上面）までの長さが、腰板部材４５の上下方向の長さよりも長くなっている。このことから、腰板部材４５の姿勢を変更させつつ、第一係合部１８１、第二係合部１８２に順に係合させることで、これらの双方と係合した状態とすることが可能となる。
【０２３０】
さらに、外壁面形成工程は、支柱部材３０の下端側周辺にカバー部材を取り付けたり、島上タンク１５５に外表面を形成する部材を取り付けたりする工程、すなわち、残存する外壁材を取り付ける残存外壁形成工程を含む。
つまり、残存外壁形成工程は、上記した各工程で形成されなかった遊技機島１の外壁を形成する工程であり、化粧板として機能する各種板部材又はカバー部材を取り付ける工程である。
【０２３１】
上記した各工程に加え、遊技機島１の各種タンク、各種流路の適宜な部分に遊技媒体を補充する玉入れ工程を実施する。
そして、遊技機２、台間機器２０、データランプ等の遊技機島１において少なくとも一部が外部に露出する機器を取り付ける外部機器取付工程を実施する。以上の各工程により、遊技機島１（図１参照）が構築される。
【０２３２】
上記した実施形態では、上側連結構造体３７、下側連結構造体３８がそれぞれ外壁保持部材を形成した例について説明したが、本発明はこれに限るものではない。
ユニット体を連結して形成される構造体は、外壁保持部材の少なくとも一部を形成するものであればよく、ユニット体はそのような構造体の一部を形成するものであればよい。
例えば、ユニット体を連結して形成される構造体は、上側連結構造体３７から側壁形成部材９７を除いたものであってもよく、側壁形成部材９７は、外壁面形成工程等の適宜の工程で取り付けてもよい。この場合、この構造体の一部を形成するユニット体は、上側ユニット体３１から側壁形成部材９７を除いたものであってもよい。
【０２３３】
すなわち、ユニット体は、構造体を所定方向（長手方向）に分割した一部分を形成する形状であり、予め設定された規定大きさ（基点寸法に基づく大きさ）であればよい。
【０２３４】
ここで、上記実施形態の判別工程において、ユニット体を並べた並列方向の合計長さが構造体の同並列方向の長さ（以下、規定長さとも称する）とならない場合とは、２つのユニット体を並べた際に合計長さが規定長さより長くなる場合も含む。すなわち、２つのユニット体を並べた並列方向の合計長さが構造体の長さよりも長くなる場合、一つのユニット体と、少なくとも一つの調整部材を並べることで構造体を構築してもよい。
【０２３５】
また、調整部材の配置位置は、上記した構造体の端部側に限るものではなく、図３０（ａ）で示されるように、中央側部分でもよい。
すなわち、上側調整部材２３２（調整部材）、下側調整部材２３４（調整部材）は、上側連結構造体２３７（外壁保持部材、構造体）、下側連結構造体２３８（外壁保持部材、構造体）の中央側部分を構築するものであってもよい。
つまり、調整部材は、構造体のいずれの部分を構築してもよく、２つのユニット体の間や、ユニット体と他の調整部材の間、さらには、２つの他の調整部材の間に位置していてもよい。また、１つの構造体に含まれる調整部材の数は適宜変更してよく、１又は複数のいずれでもよい。
【０２３６】
また、調整部材の大きさもまた、上記したようにユニット体よりも小さいものに限るものではなく、図３０（ａ）で示されるように、ユニット体よりも大きいものであってもよい。
すなわち、上側調整部材２３２、下側調整部材２３４の遊技機島の長手方向の長さ（大きさ）は、上側ユニット体３１、下側ユニット体３３よりも短いもの（小さい）でなくてもよく、これらよりも長い（大きい）ものでもよい。
【０２３７】
つまり、調整部材は、上記したように、遊技機島１の長手方向の長さが長いものに限らず、図３１で示されるように、同方向の長さが短い上側調整部材３３２（調整部材）や下側調整部材３３４（調整部材）であってもよい。
すなわち、調整部材は、遊技機島１の長手方向の長さが上下方向より短くてもよい。
【０２３８】
また、調整部材の形状は、上記したように、ユニット体を小型化（又は大型化）したものが好ましいが、必ずしもこれに限るものではない。例えば、略直方体状や箱状となる他形状の立体構造物であってもよい。また、図３２で示されるように、立板状部材であってもよい。
【０２３９】
すなわち、図３２で示されるように、上側調整部材４３２（調整部材）を一の板状部材によって形成してもよい。すなわち、上側連結構造体は、大部分を複数の上側ユニット体３１を連結して形成し、余剰部分を上側調整部材４３２によって形成してもよい。
この場合、この上側調整部材４３２は、隣接配置される上側連結構造体の構成部材（ユニット体や調整部材であり、図３２では上側ユニット体３１）と、支柱部材３０の少なくとも一方に固定してもよい。
【０２４０】
また、この場合、隣接する上側ユニット体３１に固定される幕板部材４２（図）と、ランプ板形成部材４３とを長手方向に長いものとし、その一部が上側調整部材４３２の外側（遊技機島の短手方向で外側）の一部分に位置するように形成してもよい。つまり、調整部材には、必ずしも外壁材が取り付けられなくてもよい。
【０２４１】
上記した実施形態では、調整工程で使用する調整部材（上側調整部材３２、下側調整部材３４）を遊技場外で事前作製した例について説明したが、本発明はこれに限るものではない。
例えば、調整部材の作製作業の一部を遊技場外で事前に実施し、続く作業を遊技場内で構造体を構築する際に実施してもよい。
具体的に説明すると、調整部材を形成するための部材（以下、調整用基礎部材とも称す）を遊技場外で事前作製する。このとき、調整用基礎部材は、調整部材よりも遊技機島における長手方向の長さを長くした部材とする。
そして、遊技場内で構造体を構築する際や、構造体の構築前に、調整用基礎部材の一部を切り落とし、調整部材を形成する。すなわち、遊技場内において、構造体形成工程（又は調整工程）の実施中又は実施前に調整部材の作製作業の一部を実施してもよい。
【０２４２】
さらにまた、調整部材の作製作業を事前に実施せず、遊技場内で形成してもよい。すなわち、遊技場内で構造体を構築し、その際に長さを調整する作業の一環として、調整部材を形成してもよい。この場合、遊技場内で実施する構造体形成工程（又は調整工程）の実施中又は実施前に調整部材の作製作業の全工程が実施される。
【０２４３】
また、上記した実施形態では、配置位置決定工程の後に判別工程を実施し、その後に、不足長さに応じた大きさの調整部材を形成した例を示したが、本発明はこれに限るものではない。それぞれ異なる大きさ（異なる長さ）の調整部材を予め形成しておき、判別工程で不足長さが生じたとき、それぞれ異なる大きさの調整部材から一の調整部材を選択使用してもよい。この場合、調整部材の作製は、ユニット体形成工程と同様に、各工程に先立って実施してもよい。また、ユニット体形成工程の後であり、他の工程よりも前に実施してもよい。
【０２４４】
また、上記した実施形態では、下側連結構造体３８に形成されたそれぞれの部材境界部１６０と、上側連結構造体３７に形成された部材境界部１６３がいずれも上下方向で重ならない位置に形成されていた（図２４参照）。しかしながら、図３０（ａ）で示されるように、これらは上下方向で重なる位置に形成されていてもよい。また、図３０（ａ）のように、すべての下側の部材境界部１６０が、上側の部材境界部１６３と重なる構造の他、一部のみの部材境界部１６０が、上側の部材境界部１６３と重なる構造でもよい。
【０２４５】
また、上記した実施形態では、上側ユニット体３１、下側ユニット体３３の長さ（遊技機島１の長手方向における長さ）を同一の長さとしたが、本発明はこれに限るものではない。例えば、図３０（ｂ）で示されるように、上側ユニット体５３１（ユニット体）、下側ユニット体５３３（ユニット体）の長さが異なる長さであってもよい。
【０２４６】
ここで、図３０（ｂ）で示される上側連結構造体５３７（外壁保持部材、構造体）では、上側連結構造体５３７を構築する上側ユニット体５３１の一部が、支柱部材３０と直接接触しない状態となっている。同様に、下側連結構造体５３８（外壁保持部材、構造体）を構築する下側ユニット体５３３の一部もまた、支柱部材３０と直接接触しない状態となっている。
【０２４７】
つまり、構造体を支柱部材に取り付けた状態では、構造体を構築する全てのユニット体と調整部材のうちの少なくとも一部材が、支柱部材と直接接触しない状態であってもよい。
また、この構造とは異なり、構造体を構築する全てのユニット体、調整部材がそれぞれ一又は複数の支柱部材と接触する状態（支柱部材に固定された状態）であってもよい。
【０２４８】
さらに、図３０（ｂ）で示される上側連結構造体５３７では、上側の部材境界部１６３の一部と、下側の部材境界部１６０の一部とが支柱部材３０と近接する位置にある。すなわち、遊技機島の長手方向と交わる方向（遊技機島の短手方向）を視線方向とした平面視において、支柱部材３０と重なる位置に形成されている。
このように、複数の部材境界部１６３の一部が支柱部材と隣接する位置にはいされていてもよい。すなわち、少なくとも一つの部材境界部１６３が、支柱部材３０から遊技機島の長手方向で離れた位置にあればよい。
なお、これは下側連結構造体においても同様であり、重複する説明を省略する。
【０２４９】
上記した実施形態では、長手方向に直線状に延びる遊技機島１について説明したが、本発明はこれに限るものではない。
本発明の遊技機島は、必ずしも長手方向に直線状に延びるものに限るものではなく、所謂Ｒ島と称される遊技機島のように、長手方向の少なくとも一部が弧を描くように曲がりつつ延びる遊技機島であってよい。すなわち、平面視において、少なくとも一部が屈曲又は湾曲しつつ延びる遊技機島であってもよい。
この場合、ユニット体もまた長手方向の少なくとも一部が弧を描くように曲がりつつ延びる形状（以下、湾曲形状とも称す）や、少なくとも一個所で屈曲して延びる形状（以下、屈曲形状とも称す）としてもよい。また、この場合において、長尺の調整部材を採用する際には（詳しくは後述する）、これらもまた湾曲形状や屈曲形状としてもよい。
なお、この場合もまた、ユニット体や調整部材を並列させる並列方向は、遊技機島の長手方向と同方向となる。すなわち、平面視において、少なくとも一部が屈曲又は湾曲しつつ延びる方向が並列方向となる。例えば、平面視において円環状に延びる遊技機島を形成する場合、遊技機島の長手方向及びユニット体等の並列方向は、円の周方向となる。
【０２５０】
上記した実施形態では、短手方向の一方側と他方側のそれぞれに遊技機２を取り付けた遊技機島１であり、遊技機２としてぱちんこ機を採用した遊技機島１について説明した。すなわち、短手方向の両側それぞれでぱちんこ機が並列配置され、同短手方向においてぱちんこ機が背中合わせに配置される遊技機島１について説明した。しかしながら、本発明はこれに限るものではない。
例えば、遊技機２には、ぱちんこ機に替わって所謂スロットマシンのような回胴式遊技機を採用してもよい。すなわち、短手方向の一方側と他方側のそれぞれに回胴式遊技機を取り付けた遊技機島であってもよい。また、短手方向の一方側にぱちんこ機を取り付け、他方に回胴式遊技機を取り付けた遊技機島であってもよい。すなわち、遊技機２として採用される機器は、適宜変更してよい。
【０２５１】
また、所謂壁島と称される遊技機島のように、短手方向の一方側にのみ遊技機２を取り付けた遊技機島であってもよい。すなわち、遊技機島の設置場所（遊技場等）において壁と隣接する短手方向の他方側に遊技機２を取り付けない遊技機島であってもよい。
この場合、遊技機島の長手方向における端部側に配する支柱部材として、図３３で示される支柱部材６３０（荷重支持部材）を採用してもよい。
【０２５２】
この支柱部材６３０は、遊技機島の短手方向における一方側と他方側でそれぞれ形状が異なるものとなっている。以下、この支柱部材６３０について説明するが、上記した第一支柱部材５０と同様の部分については同様の符号を付し、重複する説明を省略する。
【０２５３】
詳細に説明すると、同短手方向における一方側（図３３の手前側）では、上側に位置する第一上側取付部６５６のうち、柱連結部６６８の形状が上記した第一支柱部材５０と異なっている。詳細には、補強壁部６６８ｂは、同短手方向における長さが上記した補強壁部６８ｂよりも長く、固定板部６９と同一（又は略同一）の長さとなる略台形板状の部分となっている。
【０２５４】
この支柱部材６３０では、２つの縦桟部材５５ａ，６５５ａのうち、壁側に位置する壁側縦桟部材６５５ａが、もう一方の縦桟部材５５ａよりも長さが長くなっている。
そして、壁側縦桟部材６５５ａが上側横桟部材６５５ｂを上下方向で貫通して延びており、詳細には、上側横桟部材６５５ｂの長手方向における片側端部であり、設置時に壁側となる壁側端部と隣接する位置を貫通している。すなわち、縦桟部材５５ａが、最も近接する上側横桟部材６５５ｂの長手方向端部から中央側に離れた位置に連結されているのに対し、この壁側縦桟部材６５５ａは、上側横桟部材６５５ｂの長手方向の端部周辺を貫通している。
【０２５５】
また、壁側縦桟部材６５５ａは、下側横桟部材６５５ｃの長手方向における壁側端部近傍と連結している。
つまり、この支柱部材６３０の上側横桟部材６５５ｂと下側横桟部材６５５ｃは、一方の縦桟部材６５５ａを連結させるための連結部分の形成位置が、上記の上側横桟部材５５ｂ、下側横桟部材５５ｃと異なる構造となっている。すなわち、この連結部分が、より長手方向における端部よりの部分に形成されている点で異なっている。さらに、上側横桟部材６５５ｂでは、この連結部分において、一方の縦桟部材６５５ａを貫通させて連結させる点でも、上記した上側横桟部材５５ｂと異なっている。
【０２５６】
下側横桟部材６５５ｃの長手方向の一方端には、第一下側取付部５７の上端部分が取り付けられており、他方端部分には、脚部形成部材６５７の上端部分が取り付けられている。
脚部形成部材６５７は、上下方向に延びる本体板部６５７ａと、本体板部６５７ａの下側の一部を折り曲げて形成される補助板部６５７ｂを有する。
本体板部６５７ａは、上記した連結添板部９０（図７参照）を縦方向に延びる中心線で二分割したような形状となる立板状部材である。すなわち、上側に位置する幅方向の長さが長い部分と、下側に位置する幅方向の長さが短い部分とが連結して形成されている。
補助板部６５７ｂは、縦方向に延びる長尺の略長方形立板状の部分であり、本体板部６５７ａの下側部分における幅方向片側端部（遊技機島の長手方向における端部）と連続する部分である。すなわち、遊技機島の短手方向に沿って突出する板状部分である。
【０２５７】
そして、脚部形成部材６５７の下端側部分と第一下側取付部５７の下端側部分とがアンカー連結部５８で連結された状態となっている。
【０２５８】
以上のように、上記した支柱部材３０のうち、遊技機島１の短手方向における一端側を上記とは異なる構造とすることで、壁島で使用する支柱部材６３０としてもよい。
【０２５９】
また、上記した実施形態では、下側添設体（添板形成部９０ａ）を立板状部分として形成した例を示したが、本発明はこれに限るものではない。例えば、下側添設体は、円筒状、角筒状のような筒状体であってもよく、円柱状、角柱状のような柱状体であってもよい。
【０２６０】
例えば、図３４で示されるように、上記とは異なる形状の添板形成部６９０ａ（下側添設体）を備えた第二下側取付部６８１（下側取付部）を形成してもよい。
この添板形成部６９０ａは、断面形状が略コ字状で上下方向に延びた形状となっている。すなわち、添板形成部６９０ａは、上下方向に延びる縦長の長方形立板状の本体部６９５と、本体部６９５の短手方向の両端それぞれから外側（遊技機島の短手方向で外側）へ突出する立板状の突片部分６９６とを有する。２つの突片部分６９６は、いずれも厚さ方向が遊技機島の長手方向と同方向となっており、この長手方向で離間対向している。
このような構造によると、下側連結構造体３８を取り付けるとき、突片部分６９６の突出端が下側連結構造体３８と接触し、本体部６９５と下側連結構造体３８の間に隙間が形成される。この状態でも、本体部６９５の内側（遊技機島の短手方向で内側）から締結要素を挿通することで、添板形成部６９０ａ（本体部６９５）と下側連結構造体３８を一体に固定できる。
【０２６１】
また、図３５で示されるように、第二下側取付部７００（下側取付部）は、打ち抜き加工後、曲げ加工を施した一つの板部材である取付部形成部材７０１によって形成してもよい。
取付部形成部材７０１もまた、上下方向に延びる縦長の長方形立板状の本体部７０２と、本体部７０２の短手方向の両端それぞれから外側（遊技機島の短手方向で外側）へ突出する立板状の突片部分７０３を有する。そして、２つの突片部分７０３は、いずれも厚さ方向が遊技機島の長手方向と同方向となっており、この長手方向で離間対向している。
【０２６２】
ここで、突片部分７０３は、上側部分と下側部分とで突出長さが異なっており、上側部分の突出長さが下側部分と比べて短い。詳細には、突片部分７０３上側部分と下側部分は、それぞれが縦長の長方形立板状であり、それぞれ突出端面が段差を介して連続している。
そして、下側連結構造体３８を取り付けるとき、上記した添板形成部６９０ａと同様に、取付部形成部材７０１の上側部分が下側添設体として機能する。
【０２６３】
ところで、上記した実施形態では、支柱部材３０の下端側部分をアンカー連結部５８で連結し、このアンカー連結部５８をベース部材１４０に固定した（図１７参照）。すなわち、支柱部材３０の下端側部分の一部をアンカー連結部５８によって形成した。
しかしながら、図３５（ａ）で示されるように、２つの第二下側取付部７００の下端側部分をベース部材１４０に直接固定してもよい。すなわち、アンカー連結部５８を介さず、２つの第二下側取付部７００とベース部材１４０を適宜な固定手段（ビス止め等）により固定してもよい。この場合、下側横桟部材７０５の長手方向の長さを、上記した下側横桟部材５５ｃよりも短くしてもよい。
【０２６４】
対して、上記と同様に、２つの第二下側取付部７００の下端側部分同士をベース部材１４０によって連結してもよい（図３５（ｂ）参照）。つまり、一方の第二下側取付部７００の下端側分と、もう一方の第二下側取付部７００の下端側分のそれぞれを、溶接等の適宜な固定手段により、ベース部材１４０の異なる部分に固定してもよい。
つまり、支柱部材の下側取付部同士は、必ずしもアンカー連結部５８で連結しなくてもよく、下側取付部をベース部材１４０に直接固定してもよい。しかしながら、強度を向上させるという観点から、２つの下側取付部の下端側部分同士をアンカー連結部５８で連結させる構造とすることが好ましい。
【０２６５】
さらに、図３６で示されるように、支柱部材７３０の下端側部分に平板状の取付片部７３１を形成し、遊技場床面に対してアンカーボルト及びナット等の固定手段で直接固定してもよい。
すなわち、上記したベース部材固定工程を実施せず、支柱取付工程において支柱部材を直接床面に対して固定してもよい。
【０２６６】
また、支柱部材７３０の一部を形成する縦桟部材７３２同士を連結する際、縦桟部材７３２の長手方向における中途部分同士を連結してもよい。また、縦桟部材７３２の下端側と連結する横桟部材７３３は、複数（図３６では２つ）形成し、それぞれ異なる縦桟部材７３２と連結させてもよい。すなわち、横桟部材は、必ずしも複数（２つ）の縦桟部材７３２を連結させなくてもよい。
【０２６７】
また、上記した実施形態では、２つの第一支柱部材５０と、８つの第二支柱部材５１からなる１０の支柱部材３０を並列配置し、遊技機島１を形成した例について説明したが、本発明はこれに限るものではない。
【０２６８】
例えば、上記した研磨機ユニット１４８を支柱部材として使用してもよい。
すなわち、研磨機ユニット１４８の柱状部材１５２を上側連結構造体３７の垂直荷重を支持する支柱部材の一部として使用してもよい。言い換えると、上側ユニット体３１や上側調整部材３２を取り付ける柱状部材として使用してもよい。
同様に、研磨機ユニット１４８の本体外郭部１５１を下側連結構造体３８の垂直荷重を支持する支柱部材として使用してもよい。言い換えると、下側ユニット体３３や下側調整部材３４を取り付ける柱状部材として使用してもよい。
なお、この本体外郭部１５１は、上記したベース部材１４０を介して遊技場床面に固定してもよい。その一方で、上記した支柱部材７３０（図３６参照）のように、下端側部分に平板状の取付片部を形成し、アンカーボルト等によって固定してもよい。
【０２６９】
また、上記した実施形態の遊技機島１では、研磨機ユニット１４８を遊技機島１の長手方向における中央側部分に配置した例について説明したが、本発明はこれに限るものではない。
研磨機ユニット１４８は、遊技機島１の長手方向における端部側周辺に配置してもよく、端部側周辺と中央側部分の間に配置してもよい。すなわち、研磨機ユニット１４８は遊技機島１の適宜位置に配置でき、柱状部材１５２を基準に支柱部材３０の配置位置を設定してもよい。したがって、上記したように研磨機ユニット１４８を支柱部材として機能させる場合、遊技機島１の長手方向で最も端部側に位置する支柱部材を研磨機ユニット１４８によって形成してもよい。また、これとは異なり、最も端部側に位置する支柱部材から中央側に離れた位置に配される支柱部材を研磨機ユニット１４８によって形成してもよい。
【０２７０】
また、本発明の遊技機島は、上記した上下方向に延びる流路（揚送流路、球抜きホース、オーバーフローホース等）を囲むように形成される柱状立設体７５２（枠柱体、図３７参照）を備えていてもよい。そして、この柱状立設体７５２を上側連結構造体３７の垂直荷重を支持する支柱部材として使用してもよい。
ここで、柱状立設体７５２は、上記した柱状部材１５２に替わって研磨機ユニットの一部として設けられてもよい。この場合、本体外郭部１５１が柱状立設体７５２の土台部分となる。同様に、研磨機ユニットとは別に適宜形成した枠状体や箱状体（図示しない）の上に設けられてもよい。この場合、これら枠状体や箱状体が柱状立設体７５２の土台部分となる。
【０２７１】
そして、柱状立設体７５２の下側に一体に形成される土台部分（図示しない）もまた、下側連結構造体３８の垂直荷重を支持する支柱部材として使用してもよい。つまり、柱状立設体７５２とその土台部分は、それぞれ別に支柱部材として使用してもよく、一つの支柱部材として使用してもよい。
【０２７２】
ところで、柱状立設体７５２は、上記した支柱部材７３０（図３６参照）のように、下端側部分に平板状の取付片部を形成し、アンカーボルト等によって遊技場床面に固定してもよい。この場合、柱状立設体７５２の下側部分が土台部分として機能し、その上方側の部分が枠柱体として機能する。つまり、柱状立設体７５２の上側部分を上側連結構造体３７の垂直荷重を支持する部分とし、下側部分を下側連結構造体３８の垂直荷重を支持する部分としてもよい。
【０２７３】
この柱状立設体７５２は、上記したように研磨機ユニットの形成位置に設けられてもよく、研磨機ユニットから離れた位置に設けられてもよい。さらに、異なる位置に複数設けられていてもよい。
【０２７４】
続いて、柱状立設体７５２の構造について具体的に説明する。
柱状立設体７５２は、縦方向に延びる縦材７５２ａと、異なる縦材７５２ａ同士を連結する横材７５２ｂを有しており、これら複数の縦材７５２ａと複数の７５２ｂを枠組みして形成される金属性の枠柱体（枠状の柱状体）である。
すなわち、縦材７５２ａは、上下方向に延びる流路形成部材（図３７では図示しない）と隣接する位置で、この流路形成部材と同方向に延びる長尺体である。
そして、横材７５２ｂは、縦材７５２ａの長手方向（上下方向）と交わる方向に延びる長尺体であり、一部が一の縦材７５２ａと連結され、他部が他の縦材７５２ａと連結されている。
【０２７５】
なお、この柱状立設体７５２では、流路形成部材が配置される空間が略縦長直方体状の空間であり、その四隅部分にそれぞれ縦材７５２ａが配されている。そして、４つの横材７５２ｂが同高さで四角環状に連続する組を形成しており、複数の横材７５２ｂの組が異なる高さにそれぞれ位置している。
【０２７６】
柱状立設体７５２は、上記した構造に限らず、縦材７５２ａの数や横材７５２ｂの数は適宜変更してよい。例えば、横材７５２ｂを設けず、縦材７５２ａのみを配置して形成されてもよい。また、縦材７５２ａは、一以上備えていればよく、３つ以下や５つ以上の縦材７５２ａを備えたものであってもよい。
【０２７７】
さらには、図３８で示されるように、上記の研磨機ユニット１４８とは異なる研磨機ユニット７６０を支柱部材として使用してもよい。
【０２７８】
この研磨機ユニット７６０もまた、研磨揚送装置１５０と、本体外郭部７６１（外郭部材、土台部分）と、柱状部材７６２（柱状体）と、揚送流路（図示しない）とを備えた構造となっている。
【０２７９】
本体外郭部７６１は、２つの側壁形成部７６８と、この２つの側壁形成部７６８の上側部分同士の間で延びる屋根形成部７６９を有しており、これらが一体となって形成されている。
そして、屋根形成部７６９の下方であり、２つの側壁形成部７６８と屋根形成部７６９によって３方を囲まれた空間が、研磨揚送装置１５０を配置する空間となっている。本実施形態では、研磨揚送装置１５０の一部がこの空間に配され、他部がこの空間の外側に配されている。
【０２８０】
側壁形成部７６８は、２つの縦桟部７６８ａと壁体部７６８ｂを有する。
縦桟部７６８ａは、上下方向に延びる角筒状の部分である。
壁体部７６８ｂは、２つの縦桟部７６８ａの間に位置する立板状部分であり、その厚さ方向が遊技機島の長手方向と同方向となっている。
【０２８１】
ここで、壁体部７６８ｂの一部には、流路取付部７７０が形成されている。
流路取付部７７０は、遊技球の流路を形成する流路形成部材を連結する部分であり、壁体部７６８ｂを厚さ方向に貫通する貫通孔と、その開口周辺に位置する部分で形成されている。
具体的には、この流路取付部７７０に流路形成部材が取り付けられることで、本体外郭部７６１の外部から研磨揚送装置１５０へ向かう遊技球の流路（導入用流路）が形成される。このとき、遊技球は、流路取付部７７０の貫通孔の内側を通過した後、研磨揚送装置１５０に導入される。
【０２８２】
また、２つの側壁形成部７６８は、いずれも縦桟部７６８ａに第一下側取付部５７を取り付けている。
つまり、本実施形態では、本体外郭部７６１を下側連結構造体３８の荷重を支持するための部材として使用している。また、下側連結構造体３８の長手方向の中途部分を第一下側取付部５７に固定する構造としている。
【０２８３】
屋根形成部７６９は、２つの横桟部７６９ａと上側板部７６９ｂを有する。
横桟部７６９ａは、水平方向に延びる角筒状の部分である。
上側板部７６９ｂは、２つの横桟部７６９ａの間に位置する平板状部分であり、その厚さ方向が上下方向と同方向となっている。
【０２８４】
上側板部７６９ｂの一部には、流路挿通用孔７７１が形成されている。
流路挿通用孔７７１は、上側板部７６９ｂを厚さ方向に貫通する貫通孔であり、揚送流路を配するための部分となっている。
なお、この上側板部７６９ｂには、必要に応じて、アウト球誘導部材のような遊技球の流路を形成する部材（流路形成部材）を載置してもよい。このアウト球誘導部材は、上方から落下した遊技球をアウトレール側へ流す流路を形成する部材である。
【０２８５】
ここで、２つの横桟部７６９ａは、いずれも２つの縦桟部７６８ａに対して溶接等の固定手段により、一体に固定されている。つまり、本体外郭部７６１は、２つの縦桟部７６８ａと２つの横桟部７６９ａによって形成される枠状体（フレーム体）に対し、板状部材が取り付けられて形成されている。
なお、この本体外郭部７６１は、２つの側壁形成部７６８のそれぞれをベース部材１４０に固定することで、遊技場の床面に固定する部材となっている。
【０２８６】
柱状部材７６２は、２つの縦桟部７６２ａと、これらの上端側部分同士を連結する横桟部７６２ｂを有しており、これらが連結して形成されている。
縦桟部７６２ａは、上下方向に延びる角筒状の部分である。この縦桟部７６２ａは、その下端側部分を本体外郭部７６１の縦桟部７６８ａに対して嵌め込み可能となっている。
【０２８７】
すなわち、縦桟部７６２ａの下端側部分は、上側部分と比べて小型の角筒状部分となっており、下端側部分の外周面と上側部分の外周面とが段差を介して連続した形状となっている。そして、この縦桟部７６２ａは、本体外郭部７６１の縦桟部７６８ａの内孔に下端側部分を挿入可能である一方で、その上側部分は、この内孔に対して挿入不可能となっている。
【０２８８】
ここで、柱状部材７６２には、第二上側取付部８０が取り付けられている。
具体的には、横桟部７６２ｂの長手方向における両端部それぞれの近傍であり、それぞれの縦桟部７６２ａの上側周辺となる位置に、一つずつ合計二つの第二上側取付部８０が取り付けられている。
【０２８９】
この研磨機ユニット７６０では、２つの側壁形成部７６８のそれぞれに対し、一つずつ柱状部材７６２を取り付けている。すなわち、柱状部材７６２の２つの縦桟部７６２ａの下端側部分を、側壁形成部７６８の２つの縦桟部７６８ａに嵌入し、これらをネジ等の固定手段で一体に固定している。
このことにより、柱状部材７６２は、本体外郭部７６１の上側部分から上方に延びた状態となる。
すなわち、研磨機ユニット７６０をあたかも２つ（複数）の荷重支持部材を連結したような構造し、上側連結構造体３７、下側連結構造体３８の荷重を支持する部材としている。
【０２９０】
ここで、上記した実施形態では、柱状部材７６２の縦桟部７６２ａを本体外郭部７６１の縦桟部７６８ａに嵌め込み、ネジ等で固定する例を示したが、これらの連結構造は、これに限るものではない。これらは溶接等で固定してもよい。この場合、柱状部材７６２の縦桟部７６２ａの下方側部分に縦桟部７６８ａと係合する部分（縦桟部７６８ａに嵌入可能な部分）を形成しなくてもよい。
【０２９１】
さらに、柱状部材７６２の縦桟部７６２ａと、本体外郭部７６１の縦桟部７６８ａは一体に形成してもよい。すなわち、上記した本体外郭部７６１の縦桟部７６８ａをより上下方向に長い形状とし、その上側に横桟部７６２ｂや、上側連結構造体３７の荷重を支持する部材（第二上側取付部８０等）を固定してもよい。すなわち、研磨揚送装置１５０の周囲に位置する枠状態又は箱状体の一部を上側へ延びた形状とし、上側連結構造体３７の荷重を支持する部材としてもよい。
【０２９２】
また、上記した実施形態では、ベース部材１４０を介して研磨機ユニット７６０を遊技場床面に固定したが、研磨機ユニット７６０の固定構造は、このような構造に限るものでない。上記した支柱部材７３０（図３６参照）のように、側壁形成部７６８の下端側部分に平板状の取付片部を形成し、アンカーボルト等によって遊技場床面に固定してもよい。
【０２９３】
また、上記した研磨機ユニット１４８，７６０において、本体外郭部７６１や柱状部材７６２と共に配される研磨揚送装置１５０は、上記したものに限るものではない。
例えば、研磨揚送装置１５０に替わって、研磨機能を備えていない揚送装置を配してもよい。この揚送装置は、公知のものを適宜採用可能である。採用可能な揚送装置の一例として、揚送流路と一体に形成され（揚送流路を含んで形成され）、揚送流路そのものに遊技球を上方に搬送する機能を備えた揚送装置がある。
【０２９４】
具体的に説明すると、この揚送装置は、遊技球が導入される下方側の導入部分と、導入部分と連なる揚送部（揚送流路）とを有する。
導入部分は、揚送部の下方側に位置してこれを支持する支持部としても機能する。また、揚送部は、ベルトコンベア、チェーンコンベア等のコンベア部材を少なくとも有し、必要に応じてこのコンベア部材を内蔵するケース部材（流路外郭部材）を有する。
【０２９５】
つまり、揚送装置及び揚送流路は、別途形成されて連結されていてもよく、一体に形成されていてもよい。これらは、遊技球が内部を流れる状態に連結されていればよい。
そして、別途形成して連結する場合には、例えば、導入された遊技球が内部を通過する共にこの遊技球に上方へ向かう力を付与する揚送装置と、筒状のホース部材等によって形成される揚送流路を連結してもよい。
その一方で、揚送装置と揚送流路を一体に形成する場合には、例えば、搬送用のベルト部材と、このベルト部材を駆動させるためのモータと、これらを内蔵する外郭部材を有し、揚送流路を形成する部分でベルト部材が動作する揚送装置を採用してもよい。そして、モータは、揚送流路を形成する部分の外側（揚送流路の下方側）に設けてもよく、揚送流路を形成する部分に設けてもよい。なお、揚送装置及び揚送流路を一つの装置で形成する場合、本体外郭部７６１の内側に装置の下方側部分が囲まれた状態となる。その一方で、装置の上方側部分が本体外郭部７６１より上方に配され、柱状の部分を形成する。
【０２９６】
また、遊技機島における支柱部材の数は２以上の数で適宜変更してよく、例えば、２つの支柱部材を備えた遊技機島であってもよい。
この場合、一のユニット体と一の調整部材によって構造体を形成し、部材境界部１６３が２つの支柱部材の双方から遊技機島の長手方向（支柱部材の並列方向）で離れた位置に形成されるように構造体を取り付けてもよい。すなわち、２つの支柱部材の一方にユニット体を固定し、他方に調整部材を固定する構造であってもよい。
【０２９７】
また、上記した実施形態では、遊技機島１の内部空間であり、２つの上側連結構造体３７の間に形成される空間に補給樋等の流路形成部材を設けた例について説明した。すなわち、上側連結構造体３７の内側に形成される内部空間において、遊技機島１の長手方向に沿って延びる流路形成部材を配する例について説明した。
同様に、下側連結構造体３８の内側に形成される内部空間においてもまた、遊技機島１の長手方向に沿って延びる流路形成部材（アウトレール）を配する例について説明した。
【０２９８】
ここで、これら流路形成部材は、上側連結構造体３７、下側連結構造体３８に直接固定されてもよく、他部材を介して間接的に固定されていてもよい。例えば、図３９で示されるように、２つの上側連結構造体３７や２つの下側連結構造体３８に対して補助連結部材８００を固定し、この補助連結部材８００に流路形成部材を固定してもよい。
【０２９９】
補助連結部材８００は、断面形状が略コ字状で遊技機島１の長手方向に延びる長尺部材である。具体的には、流路形成部材を載置するための平板状の本体板部８００ａと、それぞれ立板状の第一取付板部８００ｂ、第二取付板部８００ｃを有する。
第一取付板部８００ｂ、第二取付板部８００ｃは、本体板部８００ａの短手方向における両端部分のそれぞれと連続しており、本体板部８００ａの上面よりも上方に突出するように延びる立板状部分である。
すなわち、第一取付板部８００ｂと第二取付板部８００ｃが遊技機島１の短手方向で離間対向しており、第一取付板部８００ｂと第二取付板部８００ｃの間であって本体板部８００ａの上方に三方を囲まれた空間が形成されている。
【０３００】
そして、補助連結部材８００を２つの下側連結構造体３８に対して固定する際には、第一取付板部８００ｂを一方の下側連結構造体３８に対して固定し、第二取付板部８００ｃを他方の下側連結構造体３８に対して固定する。詳細には、第一取付板部８００ｂ、第二取付板部８００ｃの外側面をそれぞれ別の下側連結構造体３８の内側部分と接触させ、これらを適宜な固定手段で一体に固定する。
つまり、遊技機島１の下側部分に形成される内部空間において、遊技機島１の短手方向における一端側に隣接する一部材と、他端側に隣接する他部材を連結するように補助連結部材８００が取り付けられる。言い換えると、この内部空間を挟んで対向する位置にある二部材を連結するように補助連結部材８００が取り付けられる。
【０３０１】
このように２つの下側連結構造体３８に対して補助連結部材８００を固定することで、２つの下側連結構造体３８が補助連結部材８００を介して連結される。このことにより、遊技機島１の下側部分の強度向上を図ることができる。
つまり、補助連結部材８００は、流路形成部材を固定するための部材として機能すると共に、遊技機島１の強度を向上させる補強部材としても機能する。
また、補助連結部材８００が遊技機島１の内部空間で底板として機能することで、島内に流入した異物等がさらなる下方側へ落下すること（例えば、内部空間の下端部分まで落下すること）を防止できる。
【０３０２】
補助連結部材８００を２つの上側連結構造体３７に対して固定する際も同様に、第一取付板部８００ｂ、第二取付板部８００ｃの外側面をそれぞれ別の上側連結構造体３７の内側部分と接触させ、これらを適宜な固定手段で一体に固定する。
つまり、遊技機島１の上側部分に形成される内部空間においてもまた、この内部空間を挟んで対向する位置にある二部材を連結するように補助連結部材８００が取り付けられる。このことにより、上記と同様に、遊技機島１の上側部分の強度向上を図ることができる。
【０３０３】
上記した実施形態では、上側連結構造体３７、下側連結構造体３８を予め形成し、その後に複数の支柱部材３０に対して固定する例について説明した。しかしながら、本発明はこれに限るものではない。
【０３０４】
例えば、構造体を支柱部材に固定する際、構造体を構成するユニット体、調整部材から選択される部材を一つずつ支柱部材３０又は隣接する他部材に固定してもよい。すなわち、構造体形成工程と構造体固定工程（上側構造体固定工程、下側構造体固定工程）は並行して実施してもよい。
具体的に説明すると、ユニット体、調整部材のいずれかから選択される一部材（以下、構成部材とも称す）を支柱部材に固定する。その後、他の構成部材を他の支柱部材と隣接する構成部材の少なくとも一方に対して固定する。以下同様に、構成部材を一つずつ固定する作業を実施していくといった具合である。
【０３０５】
上記した実施形態では、上側連結構造体３７を取り付ける際、第一支柱部材５０の一部である第一上側取付部５６（図３等参照）と、上側連結構造体３７の上下連結部材９８の一つ（図２３参照）とを重ね合わせ、これらを一体に固定した。また、第二支柱部材５１の第一固定片部８６と第二固定片部８７とに、上側連結構造体３７の上側部分と下側部分をそれぞれ固定した。しかしながら、本発明はこれに限るものではない。
【０３０６】
例えば、図４０で示されるように、複数の支柱部材８３０（荷重支持部材）に対して上側連結構造体８３７（外壁保持部材、構造体）を吊り下げ固定し、複数の支柱部材８３０によって上側連結構造体８３７の荷重（垂直荷重）を支持する構造としてもよい。
【０３０７】
すなわち、それぞれの支柱部材８３０の上側に形成される上側取付部８５６が、上下方向に延びる連結部８５６ａと、連結部８５６ａの上端部分と連続する係合取付部８５６ｂを有する構造とする。
そして、係合取付部８５６ｂは、遊技機島の短手方向で外側に向かって突出する平板状部分と、平板状部分の突出端から下方に延びる立板状部分を有する構造とする。そして、係合取付部８５６ｂの立板状部分は、連結部８５６ａの外側端部に位置する立板状部分と遊技機島の短手方向で離間対向するように形成する。
すなわち、連結部８５６ａの立板状部分と、係合取付部８５６ｂの平板状部分と、係合取付部８５６ｂの立板状部分とが略コ字状に連続するように形成する。このことにより、これらによって三方を囲まれた係合凹部８５７が形成され、この係合凹部８５７が、上方に凸となるように窪んだ凹部となる。
【０３０８】
そして、この係合凹部８５７に上側連結構造体８３７の上側部分を挿入し、これらを係合させた上で、これらに締結要素を挿通して一体に固定する。このとき、締結要素は、挿通方向が上下方向となるように挿通する。
すなわち、上側連結構造体８３７を支柱部材８３０に固定する際、必ずしも支柱部材８３０の一部が上側連結構造体８３７の下方側から接触する必要はない。しかしながら、上側連結構造体８３７をより強固且つ安定させた状態で取り付けるという観点から、上記実施形態における上側連結構造体３７の固定構造を採用することがより好ましい。
【０３０９】
上記した実施形態では、上側連結構造体３７を複数の支柱部材３０に固定する際、それぞれ離れた位置にある複数の支柱部材３０に対して上側連結構造体３７を固定した。すなわち、上側連結構造体３７の長手方向で離れた複数個所をそれぞれ別の支柱部材３０に接触させ、固定した。しかしながら、本発明はこれに限るものではない。
【０３１０】
例えば、図４１で示されるように、複数の支柱部材９３０（荷重支持部材）において、上記した上側取付部（第一上側取付部５６、第二上側取付部８０）に替わって、複数の支柱部材９３０のそれぞれと連続するフレーム部材９５６を設けてもよい。
フレーム部材９５６は、遊技機島の長手方向に延びる長尺体であり、一部が一の支柱部材９３０に対して一体に固定され、長手方向における位置が異なる他部が他の支柱部材９３０に対して一体に固定される部材である。すなわち、フレーム部材９５６は、２以上の支柱部材９３０に固定される部材である。
【０３１１】
そして、このフレーム部材９５６に対し、上側連結構造体９３７（外壁保持部材、構造体）を載置し、これらに締結要素を挿通して一体に固定する。このとき、締結要素は、挿通方向が上下方向となるように挿通する。
すなわち、上側連結構造体９３７は、フレーム部材９５６を介して複数の支柱部材９３０に固定され、複数の支柱部材９３０によって荷重（垂直荷重）を支持される部材であってもよい。
【０３１２】
なお、全ての支柱部材９３０を一のフレーム部材９５６で連結し、このフレーム部材９５６の上に上側連結構造体９３７を載置してもよい。その一方で、より長さの短い複数のフレーム部材９５６を遊技機島の長手方向で並列配置し、これらの上に上側連結構造体９３７を載置してもよい。
すなわち、上側連結構造体９３７を載置するフレーム部材は、一部材であってもよく、複数の部材を並列して形成されてもよい。
また、フレーム部材は、図４１で示されるように、上側連結構造体９３７の下面の一部が載置されてもよく、下面全体が載置されてもよい。
【０３１３】
また、上記した実施形態では、第二上側取付部８０が第一固定片部８６と第二固定片部８７を備えた構造である例を示した。
すなわち、上記した上側取付部（第二上側取付部８０）は、上側上板部と上下方向で重なる第一固定片（平板状部８６ｃ）と、上側下板部と上下方向で重なる第二固定片（平板状部８７ｂ）とを有するものとした。そして、上側上板部及び第一固定片と、上側下板部及び第二固定片のそれぞれは、締結要素が上下方向に挿通されて一体に固定されたものとした。
しかしながら、上側取付部は、第一固定片部８６と第二固定片部８７を備えたものに限るものではない。
【０３１４】
例えば、第一固定片部８６、第二固定片部８７を設けず、連結体部８５と上側連結構造体３７を遊技機島の短手方向で重ね合わせ、これらに締結要素を挿通して固定してもよい。このとき、締結要素は、挿通方向が水平方向となるように挿通する。
このような構造では、上側連結構造体３７の支柱部材への取り付け時に、上側連結構造体３７の長手方向全域を支柱部材との接触位置とすることができる。つまり、上記したように、上側上板部の下面と上側下板部の上面を接触位置する構成では、これらの下面と上面のうちで上下連結部材９８と接触する部分（平面視で上下連結部材９８と重なる部分）は、支柱部材との接触位置とすることができない。つまり、上側連結構造体３７の長手方向における各位置のうち、上下連結部材９８が形成されている位置は、支柱部材との接触位置とすることができない。そのため、場合によっては、上下連結部材９８を切断して取り外したり、上下連結部材９８の一部を加工したりする必要がある。
これに対し、上記した第一固定片部８６、第二固定片部８７を形成しない構造によると、上下連結部材９８の形成位置がいずれの位置であっても、特段の加工なく取り付けが可能となる。
【０３１５】
なお、このように第一固定片部８６、第二固定片部８７を形成しない場合、上側連結構造体３７は、補助補強板部材９９を形成しない構造とすることが考えられる。またこの場合、上側取付部は、連結体部８５に替わって、上下方向に延びる板状体や、筒状体、柱状体等を採用することができる。
つまり、上側取付部は、上側連結構造体３７の内側に配される添設体（上側添設体）であればよい。そして、この添設体を上側連結構造体３７の内側から接触させ、さらに内側から締結要素を水平方向に挿通し、固定してもよい。
【０３１６】
上記した実施形態では、上側連結構造体３７に幕板部材４２を回動可能に取り付けた（図２７参照）。このことにより、遊技機島１を構築した際、幕板部材４２を回動させることで、短手側壁部１１の上方内部が外部に開放された（内部を目視可能な）状態とすることを可能なものとした。
しかしながら、上側連結構造体は、このような構造に限るものではない。
【０３１７】
例えば、上記した上側連結構造体３７の側壁形成部材９７に替わって、上面形成部材９５の上端近傍から下面形成部材９６の下端近傍まで上下方向に延び、全長が上側連結構造体の全長と同方向になるように形成してもよい。
この場合、上側ユニット体、上側調整部材もまた、この上側連結構造体を長手方向で分割した形状であってもよい。さらにこの場合、上側調整部材に外壁部材を取り付けず、そのまま短手側壁部を形成してもよい。
【符号の説明】
【０３１８】
１    遊技機島
２    遊技機
１５    上部側壁部（壁部分）
１６    下部側壁部（壁部分）
１７    機器配置部（配設部）
３０、６３０、８３０、７３０、９３０    支柱部材（荷重支持部材）
３１、５３１    上側ユニット体（ユニット体）
３２、２３２、３３２、４３２    上側調整部材（調整部材）
３３、５３３    下側ユニット体（ユニット体）
３４、２３４、３３４    下側調整部材（調整部材）
３７、２３７、５３７、８３７、９３７    上側連結構造体（外壁保持部材、構造体）
３８、２３８、５３８    下側連結構造体（外壁保持部材、構造体）
８０    第二上側取付部（上側取付部）
８１、６８１、７００    第二下側取付部（下側取付部）
９０ａ、６９０ａ    添板形成部（下側添設体）
９１ｃ    載置板部（ユニット載置部）
９５    上面形成部材（上側上板部）
９６    下面形成部材（上側下板部）
９８    上下連結部材（上側立板部）
１１５    膳板形成部材
１１６    下面形成部材（下側下板部）
１５０    研磨揚送装置（揚送装置）
１５１    本体外郭部（土台部分）
１５２    柱状部材（柱状体）
１６０    部材境界部（境界部）
１６３    部材境界部（境界部）
７５２    柱状立設体（枠柱体）
７５２ａ    縦材
７５２ｂ    横材
７６１    本体外郭部（外郭部材、土台部分）
７６２    柱状部材（柱状体）
７７０    流路取付部
【図１】
2019177073.tif 000003
【図２】
2019177073.tif 000004
【図３】
2019177073.tif 000005
【図４】
2019177073.tif 000006
【図５】
2019177073.tif 000007
【図６】
2019177073.tif 000008
【図７】
2019177073.tif 000009
【図８】
2019177073.tif 000010
【図９】
2019177073.tif 000011
【図１０】
2019177073.tif 000012
【図１１】
2019177073.tif 000013
【図１２】
2019177073.tif 000014
【図１３】
2019177073.tif 000015
【図１４】
2019177073.tif 000016
【図１５】
2019177073.tif 000017
【図１６】
2019177073.tif 000018
【図１７】
2019177073.tif 000019
【図１８】
2019177073.tif 000020
【図１９】
2019177073.tif 000021
【図２０】
2019177073.tif 000022
【図２１】
2019177073.tif 000023
【図２２】
2019177073.tif 000024
【図２３】
2019177073.tif 000025
【図２４】
2019177073.tif 000026
【図２５】
2019177073.tif 000027
【図２６】
2019177073.tif 000028
【図２７】
2019177073.tif 000029
【図２８】
2019177073.tif 000030
【図２９】
2019177073.tif 000031
【図３０】
2019177073.tif 000032
【図３１】
2019177073.tif 000033
【図３２】
2019177073.tif 000034
【図３３】
2019177073.tif 000035
【図３４】
2019177073.tif 000036
【図３５】
2019177073.tif 000037
【図３６】
2019177073.tif 000038
【図３７】
2019177073.tif 000039
【図３８】
2019177073.tif 000040
【図３９】
2019177073.tif 000041
【図４０】
2019177073.tif 000042
【図４１】
2019177073.tif 000043